(57)【要約】本発明は、インターネット上の医療用コンテンツに対してキーを提供する医療情報ポータルのための方法、システムおよびコンピュータプログラム装置を提供するものである。本発明は、ヘルスケアに携わる専門家のための直感的方法で種々のリソースが編成される１または２以上の以下のツールセット、すなわち、疾患の研究のための診断用ツール（３０５）、専門分野における自己開発のための学習用ツール（３０７）、患者用リソースのための患者用ツール（３０９）、健康関連テクノロジを利用する際のテクノロジ用ツール（３１１）、ニュースおよび更新用ツール（３１３）、クイックレファレンス用ツール（３１５）、および／または電子支援用ツール（３１７）を備えることが可能である。本発明の一実施態様によれば、インターネット（３３３）を介してヘルスケア関連リソースにアクセすることもできる。オプションとして、上記システムには個々のユーザに関連するユーザ登録データ（３３１）が含まれ、さらに、或るリソースには適格性を有するユーザのみが利用できるように利用制限が設けられている。本システムは好適には、上記のツールセットを利用して、統一化され体系化されたアクセス形式以外ではあまりにも混乱をきたしおよび／または扱いにくいために（特にその全体として）アクセス不能となるであろう多種多様の多数のリソースに対して、統一化されかつ体系化されたアクセスを提供するものである。
2005521150.tif 000002
【特許請求の範囲】
【請求項１】
情報及びサービスといったヘルスケア関連リソースをユーザに提供するためのコンピュータを基板としたシステムにおいて、コンピュータ・システムによって実現され、医師およびヘルスケア提供者を含むユーザを対象とする医療情報ポータルシステムであって、
（Ａ）疾患研究補助リソースと、疾患診断補助リソースと、治療ガイドラインと、医学参考文献と、疾患に関する疾患情報を個々に有する複数の疾患用モジュールとのうちの少なくとも１つを含む、疾患診断用および研究用リソースのうちの少なくとも１つのリソースを処理する診断用ツールと、
（Ｂ）オンラインによる継続的医学教育（ＣＭＥ）用リソースと、ユーザを専門医学会と接続するリンクと、ユーザを医学部のコンピュータサイトと接続するリンクと、ダウンロード可能な講義材料及びスライドキットと、委員会レビューの準備についてのレビュー情報と、医学関係会合カレンダと、会合レポータとのうちの少なくとも１つを含む専門分野自己開発用リソースを処理する学習用ツールと、
（Ｃ）患者がメディアで何を目にしているかに関するメディア情報と、患者に関連する情報を含む複数の患者向け配布物と、ユーザを患者支援グループと接続する複数のリンクと、臨床試験情報と、少なくとも１つの健康ガイドとを含む患者用リソースを処理する患者用ツールと
を備えることを特徴とする医療情報ポータルシステム。
【請求項２】
ヘルスケア関連テクノロジに関する複数の製品レビューおよび／または選択された記事項目と、専門技術用語辞典と、専門技術用語に関する問い合わせ可能な情報とのうちの少なくとも１つを含むヘルスケア関連テクノロジ・リソースを処理するヘルスケア関連テクノロジ用ツールをさらに備えることを特徴とする請求項１記載の医療情報ポータルシステム。
【請求項３】
現在刊行されている医学関係誌から選択された論文項目と、選択された最近の医学上の発見と、医療業界における重大ニュースと、選択された医学上の専門分野に関連するニュースと、ユーザが指定した個人的な優先順位に関連するカスタマイズされたニュースとのうちの少なくとも１つを含む医学ニュースを処理するニュース用ツールをさらに備えることを特徴とする請求項１記載の医療情報ポータルシステム。
【請求項４】
（ｉ）ユーザが規定可能なコンピュータサイト検索機能と、所定のコンピュータサイト検索機能とのうちの少なくとも一方を有する検索用ツールと、（ｉｉ）文書と、リンクと、ユーザ用の個人的な優先順位とを記憶するためのユーザ専用フォルダと、（ｉｉｉ）少なくとも１つの医学教科書と、医学関係誌と、少なくとも１つの医薬品参照テキストと、臨床医療に関する論文のうちの１または２以上を含む基礎医学リソースへの参照（レファレンス）群と、（ｉｖ）オンラインによる継続的医学教育（ＣＭＥ）サービスと、オンラインによる臨床意思決定支援サービスと、医学上の雑学（医療雑事）とへのアクセスと、（ｖ）少なくとも１つの医学用辞書と、のうちの少なくとも１つを含むツールバーをさらに備えることを特徴とする請求項１記載の医療情報ポータルシステム。
【請求項５】
前記ツール内の前記リソースのうちの少なくとも１つのリソースの利用を専門医免許所有ユーザに制限した医療情報ポータルシステムであって、専門医免許情報を含むユーザ登録情報を収集するユーザ登録用コンポーネントと、専門医免許情報を認証する認証用コンポーネントと、前記少なくとも１つのリソースのうちの利用制限が設けられた少なくとも１つのリソースの利用に必要な専門医免許をユーザが所有するかどうかを特定し、前記リソースのうちの前記利用制限が設けられた少なくとも１つのリソースへのアクセスに利用制限を設ける制限用コンポーネントとをさらに備えることを特徴とする請求項１記載の医療情報ポータルシステム。
【請求項６】
利用制限が設けられていないリソースが、
前記ニュース用ツール内のリソースの少なくとも一部と、前記患者用ツール内のリソースの少なくとも一部と、メルク・マニュアルと、最善の医療実施マニュアルと、１または２以上の医学教科書と、１または２以上の医学用辞書と、前記ヘルスケア関連テクノロジ用ツール内のリソースの少なくとも一部と、前記複数の疾患用モジュールと、前記医学関係会合カレンダと、前記会合レポータと、専門医学会への前記リンクと、医学部サイトへの前記リンクと、研修医勤務および／または研究奨学金の機会に関する情報と、臨床試験情報と、代替医療に関する情報と
を備えるグループから選択されることを特徴とする請求項５記載の医療情報ポータルシステム。
【請求項７】
利用制限が設けられた前記少なくとも１つのリソースの利用が、ヘルスケアに携わる専門家或いは医学生として特定されたユーザに限定され、さらに、前記利用制限が設けられたリソースが、前記フォルダと、少なくとも１つの臨床用ツールと、少なくとも１つの医学教科書と、少なくとも１つの医薬品参照テキストと、オンラインＣＭＥサービスと、講義資料と、スライドキットとを備えるグループから選択されることを特徴とする請求項５記載の医療情報ポータルシステム。
【請求項８】
利用制限が設けられた前記少なくとも１つのリソースの少なくとも一部の利用が医師免許を所有する医師に制限されることを特徴とする請求項５記載の医療情報ポータルシステム。
【請求項９】
現在刊行されている医学関係誌から選択された前記論文項目が第三者プロバイダから定期的に供給されることを特徴とする請求項１記載の医療情報ポータルシステム。
【請求項１０】
前記複数の疾患用モジュールが、兆候及び症状に基づいて検索することが可能な情報を含むことを特徴とする請求項１記載の医療情報ポータルシステム。
【請求項１１】
少なくとも１つの臨床用計算機、複数の臨床例（エビデンス）リソース、複数の選択されたニュース及び医学文献論文、少なくとも１つの研修医勤務及び経歴リソース、並びに、複数の選択された患者リソース、のうちの少なくとも１つを含むヘルスケア業務補助リソースを処理する電子補助ツールをさらに備えることを特徴とする請求項１記載の医療情報ポータルシステム。
【請求項１２】
情報及びサービスといったヘルスケア関連リソースをユーザに提供するためのコンピュータを基板としたシステムにおける、コンピュータ・システムによって実現され、医師およびヘルスケア提供者を含むユーザを対象とする医療情報ポータルシステムにおいて、該医療情報ポータルシステムは、
（Ａ）疾患研究補助リソースと、疾患診断補助リソースと、治療ガイドラインと、医学参考文献と、疾患に関する疾患情報を個々に有する複数の疾患用モジュールとのうちの少なくとも１つを含む、疾患診断用および研究用リソースのうちの少なくとも１つのリソースを処理する診断用ツールであって、兆候及び症状に基づいて検索することが可能な情報が前記複数の疾患用モジュールに含まれる診断用ツールと、
（Ｂ）オンラインによる継続的医学教育（ＣＭＥ）用リソースと、ユーザを専門医学会と接続するリンクと、ユーザを医学部のコンピュータサイトと接続するリンクと、ダウンロード可能な講義材料及びスライドキットと、委員会レビューの準備についてのレビュー情報と、医学関係会合カレンダと、会合レポータとのうちの少なくとも１つを含む専門分野自己開発用リソースを処理する学習用ツールと、
（Ｃ）患者がメディアで何を目にしているかに関するメディア情報と、患者に関連する情報を含む複数の患者向け配布物と、ユーザを患者支援グループと接続する複数のリンクと、臨床試験情報と、少なくとも１つの健康ガイドとを含む患者用リソースを処理する患者用ツールと、
（Ｄ）ヘルスケア関連テクノロジに関する複数の製品レビューおよび／または選択された記事項目と、専門技術用語辞典と、専門技術用語に関する問い合わせ可能な情報とのうちの少なくとも１つを含むヘルスケア関連テクノロジ・リソースを処理するヘルスケア関連テクノロジ用ツールと、
（Ｅ）現在刊行されている医学関係誌から選択された論文項目と、選択された最近の医学上の発見と、医療業界における重大ニュースと、選択された医学上の専門分野に関連するニュースと、ユーザが指定した個人的な優先順位に関連するカスタマイズされたニュースとのうちの少なくとも１つを含む医学ニュースを処理するニュース用ツールであって、現在刊行されている医学関係誌から選択された前記論文項目が第三者プロバイダから定期的に供給されるニュース用ツールと、
（Ｆ）（ｉ）ユーザが規定可能なコンピュータサイト検索機能と、所定のコンピュータサイト検索機能とのうちの少なくとも一方を有する検索用ツールと、（ｉｉ）文書と、リンクと、ユーザ用の個人的な優先順位とを記憶するためのユーザ専用フォルダと、（ｉｉｉ）少なくとも１つの医学教科書と、医学関係誌と、少なくとも１つの医薬品参照テキストと、臨床医療に関する論文のうちの１または２以上を含む基礎医学リソースへの参照（レファレンス）群と、（ｉｖ）オンラインによる継続的医学教育（ＣＭＥ）サービスと、オンラインによる臨床意思決定支援サービスと、医学上の雑学（医療雑事）へのアクセスと、（ｖ）少なくとも１つの医学用辞書と、のうちの少なくとも１つを含むツールバーと
を備え、
（Ｇ）前記ツール内の前記リソースのうちの少なくとも１つのリソースの利用を専門医免許所有ユーザに制限し、専門医免許情報を含むユーザ登録情報を収集するユーザ登録用コンポーネントと、専門医免許情報を認証する認証用コンポーネントと、前記少なくとも１つのリソースのうちの利用制限が設けられた少なくとも１つのリソースの利用に必要な専門医免許をユーザが所有するかどうかを特定し、前記リソースのうちの前記利用制限が設けられた少なくとも１つのリソースへのアクセスに利用制限を設ける制限用コンポーネントとをさらに備え；利用制限が設けられていないリソースが、前記ニュース用ツール内のリソースの少なくとも一部と、前記患者用ツール内のリソースの少なくとも一部と、メルク・マニュアルと、最善の医療実施マニュアルと、１または２以上の医学教科書と、１または２以上の医学用辞書と、前記ヘルスケア関連テクノロジ用ツール内のリソースの少なくとも一部と、前記複数の疾患用モジュールと、前記医学関係会合カレンダと、前記会合レポータと、専門医学会への前記リンクと、医学部サイトへの前記リンクと、研修医勤務および／または研究奨学金の機会に関する情報と、臨床試験情報と、代替医療に関する情報とを備えるグループから選択され；利用制限が設けられた前記少なくとも１つのリソースの利用が、ヘルスケアに携わる専門家或いは医学生として特定されたユーザに限定され、前記利用制限が設けられたリソースが前記フォルダと、少なくとも１つの臨床用ツールと、少なくとも１つの医学教科書と、少なくとも１つの医薬品参照テキストと、オンラインＣＭＥサービスと、講義資料と、スライドキットとを備えるグループから選択され；さらに、利用制限が設けられた前記少なくとも１つのリソースの少なくとも一部の利用が医師免許を所有する医師に制限され、
（Ｈ）少なくとも１つの臨床用計算機、複数の臨床例（エビデンス）リソース、複数の選択されたニュース及び医学文献論文、少なくとも１つの研修医勤務及び経歴リソース、並びに、複数の選択された患者リソース、のうちの少なくとも１つを含むヘルスケア業務補助リソースを処理する電子補助ツールをさらに備えることを特徴とする医療情報ポータルシステム。
【請求項１３】
情報及びサービスといったヘルスケア関連リソースをユーザに提供するためのコンピュータを基板とした方法における、コンピュータ・システムによって実現され、医師およびヘルスケア提供者を含むユーザを対象とする医療情報ポータル方法であって、
（Ａ）疾患研究補助リソースと、疾患診断補助リソースと、治療ガイドラインと、医学参考文献と、疾患に関する疾患情報を個々に有する複数の疾患用モジュールとのうちの少なくとも１つを含む、疾患診断用および研究用リソースのうちの少なくとも１つのリソースを診断用ツールで処理するステップと、
（Ｂ）オンラインによる継続的医学教育（ＣＭＥ）用リソースと、ユーザを専門医学会と接続するリンクと、ユーザを医学部のコンピュータサイトと接続するリンクと、ダウンロード可能な講義材料及びスライドキットと、委員会レビューの準備についてのレビュー情報と、医学関係会合カレンダと、会合レポータとのうちの少なくとも１つを含む専門分野自己開発用リソースを学習用ツールで処理するステップと、
（Ｃ）患者がメディアで何を目にしているかに関するメディア情報と、患者に関連する情報を含む複数の患者向け配布物と、ユーザを患者支援グループと接続する複数のリンクと、臨床試験情報と、少なくとも１つの健康ガイドとを含む患者用リソースを患者用ツールで処理するステップと
を備えることを特徴とする医療情報ポータル方法。
【請求項１４】
ヘルスケア関連テクノロジに関する複数の製品レビューおよび／または選択された記事項目と、専門技術用語辞典と、専門技術用語に関する問い合わせ可能な情報とのうちの少なくとも１つを含むヘルスケア関連テクノロジ・リソースをヘルスケア関連テクノロジ用ツールで処理するステップをさらに備えることを特徴とする請求項１３記載の医療情報ポータル方法。
【請求項１５】
現在刊行されている医学関係誌から選択された論文項目と、選択された最近の医学上の発見と、医療業界における重大ニュースと、選択された医学上の専門分野に関連するニュースと、ユーザが指定した個人的な優先順位に関連するカスタマイズされたニュースとのうちの少なくとも１つを含む医学ニュースをニュース用ツールで処理するステップをさらに備えることを特徴とする請求項１３記載の医療情報ポータル方法。
【請求項１６】
（ｉ）ユーザが規定可能なコンピュータサイト検索機能と、所定のコンピュータサイト検索機能とのうちの少なくとも一方を有する検索用ツールと、（ｉｉ）文書と、リンクと、ユーザ用の個人的な優先順位とを記憶するためのユーザ専用フォルダと、（ｉｉｉ）少なくとも１つの医学教科書と、医学関係誌と、少なくとも１つの医薬品参照テキストと、臨床医療に関する論文のうちの１または２以上を含む基礎医学リソースへの参照（レファレンス）群と、（ｉｖ）オンラインによる継続的医学教育（ＣＭＥ）サービスと、オンラインによる臨床意思決定支援サービスと、医学上の雑学（医療雑事）とへのアクセスと、（ｖ）少なくとも１つの医学用辞書と、の少なくとも１つを含むツールバーを設けるステップをさらに備えることを特徴とする請求項１３記載の医療情報ポータル方法。
【請求項１７】
前記ツール内の前記リソースのうちの少なくとも１つのリソースの利用を専門医免許所有ユーザに制限するステップと、専門医免許情報を含むユーザ登録情報を収集するステップを含むユーザを登録するステップと、該ユーザの専門医免許情報を認証するステップと、前記少なくとも１つのリソースのうちの利用制限が設けられた少なくとも１つのリソースの利用に必要な専門医免許を所有するかどうかを特定し、前記リソースのうちの前記利用制限が設けられた少なくとも１つのリソースへのアクセスに利用制限を設けるステップとをさらに備えることを特徴とする請求項１３記載の医療情報ポータル方法。
【請求項１８】
利用制限が設けられていないリソースが、
前記ニュース用ツール内のリソースの少なくとも一部と、前記患者用ツール内のリソースの少なくとも一部と、メルク・マニュアルと、最善の医療実施マニュアルと、１または２以上の医学教科書と、１または２以上の医学用辞書と、前記ヘルスケア関連テクノロジ用ツール内のリソースの少なくとも一部と、前記複数の疾患用モジュールと、前記医学関係会合カレンダと、前記会合レポータと、専門医学会への前記リンクと、医学部サイトへの前記リンクと、研修医勤務および／または研究奨学金の機会に関する情報と、臨床試験情報と、代替医療に関する情報と
を備えるグループから選択されることを特徴とする請求項１７記載の医療情報ポータル方法。
【請求項１９】
利用制限が設けられた前記少なくとも１つのリソースの利用が、ヘルスケアに携わる専門家或いは医学生として特定されたユーザに限定され、さらに、前記利用制限が設けられたリソースが前記フォルダと、少なくとも１つの臨床用ツールと、少なくとも１つの医学教科書と、少なくとも１つの医薬品参照テキストと、オンラインＣＭＥサービスと、講義資料と、スライドキットとを備えるグループから選択されることを特徴とする請求項１７記載の医療情報ポータル方法。
【請求項２０】
利用制限が設けられた前記少なくとも１つのリソースの少なくとも一部の利用が医師免許を所有する医師に制限されることを特徴とする請求項１７記載の医療情報ポータル方法。
【請求項２１】
現在刊行されている医学関係誌から選択される前記論文項目を、第三者プロバイダから定期的に受け取るステップをさらに含むことを特徴とする請求項１３記載の医療情報ポータル方法。
【請求項２２】
前記複数の疾患用モジュールが、兆候及び症状に基づいて検索することが可能な情報を含むことを特徴とする請求項１３記載の医療情報ポータル方法。
【請求項２３】
少なくとも１つの臨床用計算機、複数の臨床例（エビデンス）リソース、複数の選択されたニュース及び医学文献論文、少なくとも１つの研修医勤務及び経歴リソース、並びに、複数の選択された患者リソース、のうちの少なくとも１つを含むヘルスケア業務補助リソースを電子補助ツールで処理するステップをさらに備えることを特徴とする請求項１３記載の医療情報ポータル方法。
【請求項２４】
情報及びサービスといったヘルスケア関連リソースをユーザに提供するためのコンピュータを基盤とした方法における、コンピュータ・システムによって実現され、医師およびヘルスケア提供者を含むユーザを対象とする医療情報ポータル方法において、
（Ａ）疾患研究補助リソースと、疾患診断補助リソースと、治療ガイドラインと、医学参考文献と、疾患に関する疾患情報を個々に有する複数の疾患用モジュールとのうちの少なくとも１つを含む、疾患診断用および研究用リソースのうちの少なくとも１つのリソースを診断用ツールで処理するステップであって、兆候及び症状に基づいて検索することが可能な情報が前記複数の疾患用モジュールに含まれるステップと、
（Ｂ）オンラインによる継続的医学教育（ＣＭＥ）用リソースと、ユーザを専門医学会と接続するリンクと、ユーザを医学部のコンピュータサイトと接続するリンクと、ダウンロード可能な講義材料及びスライドキットと、委員会レビューの準備についてのレビュー情報と、医学関係会合カレンダと、会合レポータとのうちの少なくとも１つを含む専門分野自己開発用リソースを学習用ツールで処理するステップと、
（Ｃ）患者がメディアで何を目にしているかに関するメディア情報と、患者に関連する情報を含む複数の患者向け配布物と、ユーザを患者支援グループと接続する複数のリンクと、臨床試験情報と、少なくとも１つの健康ガイドとを含む患者用リソースを患者用ツールで処理するステップと、
（Ｄ）ヘルスケア関連テクノロジに関する複数の製品レビューおよび／または選択された記事項目と、専門技術用語辞典と、専門技術用語に関する問い合わせ可能な情報とのうちの少なくとも１つを含むヘルスケア関連テクノロジ・リソースをヘルスケア関連テクノロジ用ツールで処理するステップと、
（Ｅ）現在刊行されている医学関係誌から選択された論文項目と、選択された最近の医学上の発見と、医療業界における重大ニュースと、選択された医学上の専門分野に関連するニュースと、ユーザが指定した個人的な優先順位に関連するカスタマイズされたニュースとのうちの少なくとも１つを含む医学ニュースをニュース用ツールで処理するステップであって、現在刊行されている医学関係誌から選択された前記論文項目は第三者プロバイダから定期的に受け取られるステップと、
（Ｆ）（ｉ）ユーザが規定可能なコンピュータサイト検索機能と、所定のコンピュータサイト検索機能とのうちの少なくとも一方を有する検索用ツールと、（ｉｉ）文書と、リンクと、ユーザ用の個人的な優先順位とを記憶するためのユーザ専用フォルダと、（ｉｉｉ）少なくとも１つの医学教科書と、医学関係誌と、少なくとも１つの医薬品参照テキストと、臨床医療に関する論文のうちの１または２以上を含む基礎医学リソースへの参照（レファレンス）群と、（ｉｖ）オンラインによる継続的医学教育（ＣＭＥ）サービスと、オンラインによる臨床意思決定支援サービスと、医学上の雑学（医療雑事）へのアクセスと、（ｖ）少なくとも１つの医学用辞書と、のうちの少なくとも１つを含むツールバーを設けるステップと、
（Ｇ）前記ツール内の前記リソースのうちの少なくとも１つのリソースの利用を専門医免許所有ユーザに制限し、専門医免許情報を含むユーザ登録情報を収集することを含んでユーザを登録し、ユーザの専門医免許情報を認証し、前記少なくとも１つのリソースのうちの利用制限が設けられた少なくとも１つのリソースの利用に必要な専門医免許をユーザが所有するかどうかを特定し、さらに前記リソースのうちの前記利用制限が設けられた少なくとも１つのリソースへのアクセスに利用制限を設けるステップであって、；利用制限が設けられていないリソースが、前記ニュース用ツール内のリソースの少なくとも一部と、前記患者用ツール内のリソースの少なくとも一部と、メルク・マニュアルと、最善の医療実施マニュアルと、１または２以上の医学教科書と、１または２以上の医学用辞書と、前記ヘルスケア関連テクノロジ用ツール内のリソースの少なくとも一部と、前記複数の疾患用モジュールと、前記医学関係会合カレンダと、前記会合レポータと、専門医学会への前記リンクと、医学部サイトへの前記リンクと、研修医勤務および／または研究奨学金の機会に関する情報と、臨床試験情報と、代替医療に関する情報とを備えるグループから選択され；利用制限が設けられた前記少なくとも１つのリソースの利用が、ヘルスケアに携わる専門家或いは医学生として特定されたユーザに限定され、前記利用制限が設けられたリソースが前記フォルダと、少なくとも１つの臨床用ツールと、少なくとも１つの医学教科書と、少なくとも１つの医薬品参照テキストと、オンラインＣＭＥサービスと、講義資料と、スライドキットとを備えるグループから選択され；さらに、利用制限が設けられた前記少なくとも１つのリソースの少なくとも一部の利用が医師免許を所有する医師に制限されるステップと、
（Ｈ）少なくとも１つの臨床用計算機、複数の臨床例（エビデンス）リソース、複数の選択されたニュース及び医学文献論文、少なくとも１つの研修医勤務及び経歴リソース、並びに、複数の選択された患者リソース、のうちの少なくとも１つを含むヘルスケア業務補助リソースを電子補助ツールで処理するステップと
を備えることを特徴とする医療情報ポータル方法。
【請求項２５】
情報及びサービスといったヘルスケア関連リソースをユーザに提供するためのコンピュータを基盤としたシステムにおいて、コンピュータ・システムによって実現され、医師およびヘルスケア提供者を含むユーザを対象とする医療情報ポータルシステムであって、
（Ａ）疾患研究補助リソースと、疾患診断補助リソースと、治療ガイドラインと、医学参考文献と、疾患に関する疾患情報を個々に有する複数の疾患用モジュールとのうちの少なくとも１つを含む、疾患診断用および研究用リソースのうちの少なくとも１つのリソースを処理する診断用ツール手段と、
（Ｂ）オンラインによる継続的医学教育（ＣＭＥ）用リソースのための手段と、ユーザを専門医学会と接続する手段と、ユーザを医学部のコンピュータサイトと接続する手段と、ダウンロード可能な講義材料及びスライドキットと、委員会レビューの準備についてのレビュー情報と、医学関係会合カレンダ手段と、会合レポータ手段とのうちの少なくとも１つを含む専門分野自己開発用リソースを処理する学習用ツール手段と、
（Ｃ）患者がメディアで何を目にしているかに関するメディア情報と、患者に関連する情報を含む複数の患者向け配布物と、ユーザを患者支援グループと接続する手段と、臨床試験情報と、少なくとも１つの健康ガイドとを含む患者用リソースを処理する患者用ツール手段と
を備えることを特徴とする医療情報ポータルシステム。
【請求項２６】
ヘルスケア関連テクノロジに関する複数の製品レビューおよび／または選択された記事項目と、専門技術用語辞典と、専門技術用語に関する問い合わせ可能な情報とのうちの少なくとも１つを含むヘルスケア関連テクノロジ・リソースを処理するヘルスケア関連テクノロジ手段をさらに備えることを特徴とする請求項２５記載の医療情報ポータルシステム。
【請求項２７】
現在刊行されている医学関係誌から選択された論文項目と、選択された最近の医学上の発見と、医療業界における重大ニュースと、選択された医学上の専門分野に関連するニュースと、ユーザが指定した個人的な優先順位に関連するカスタマイズされたニュースとのうちの少なくとも１つを含む医学ニュースを処理するニュース手段をさらに備えることを特徴とする請求項２５記載の医療情報ポータルシステム。
【請求項２８】
（ｉ）ユーザが規定可能なコンピュータサイト検索機能と、所定のコンピュータサイト検索機能とのうちの少なくとも一方を有する電子的検索のための検索手段と、（ｉｉ）文書と、リンクと、ユーザ用の個人的な優先順位とを記憶するためのユーザ専用のフォルダ手段と、（ｉｉｉ）少なくとも１つの医学教科書と、医学関係誌と、少なくとも１つの医薬品参照テキストと、臨床医療に関する論文のうちの１または２以上を含む基礎医学リソースへの参照（レファレンス）群と、（ｉｖ）オンラインによる継続的医学教育（ＣＭＥ）サービスと、オンラインによる臨床意思決定支援サービスと、医学上の雑学（医療雑事）とへのアクセス手段と、（ｖ）少なくとも１つの医学用辞書と、のうちの少なくとも１つを含むツールバーをさらに備えることを特徴とする請求項２５記載の医療情報ポータルシステム。
【請求項２９】
前記ツール手段内の前記リソースのうちの少なくとも１つを専門医免許所有ユーザに制限し、専門医免許情報を含むユーザ登録情報を収集するユーザ登録手段と、専門医免許情報を認証する認証手段と、前記少なくとも１つのリソースのうちの利用制限が設けられた少なくとも１つのリソースの利用に必要な専門医免許をユーザが所有するかどうかを特定し、前記リソースのうちの前記利用制限が設けられた少なくとも１つのリソースへのアクセスに利用制限を設ける制限手段とをさらに備えることを特徴とする請求項２５記載の医療情報ポータルシステム。
【請求項３０】
利用制限が設けられていないリソースが、
前記ニュース用ツール内のリソースの少なくとも一部と、前記患者用ツール内のリソースの少なくとも一部と、メルク・マニュアルと、最善の医療実施マニュアルと、１または２以上の医学教科書と、１または２以上の医学用辞書と、前記ヘルスケア関連テクノロジ用ツール内のリソースの少なくとも一部と、前記複数の疾患用モジュールと、前記医学関係会合カレンダと、前記会合レポータと、専門医学会と、医学部サイトと、研修医勤務および／または研究奨学金の機会に関する情報と、臨床試験情報と、代替医療に関する情報と
を備えるグループから選択されることを特徴とする請求項２９記載の医療情報ポータルシステム。
【請求項３１】
利用制限が設けられた前記少なくとも１つのリソースの利用が、ヘルスケアに携わる専門家或いは医学生として特定されたユーザに限定され、さらに、前記利用制限が設けられたリソースが、前記フォルダ手段と、少なくとも１つの臨床用ツールと、少なくとも１つの医学教科書と、少なくとも１つの医薬品参照テキストと、オンラインＣＭＥサービスと、講義資料と、スライドキットとを備えるグループから選択されることを特徴とする請求項２９記載の医療情報ポータルシステム。
【請求項３２】
利用制限が設けられた前記少なくとも１つのリソースの少なくとも一部の利用が医師免許を所有する医師に制限されることを特徴とする請求項２９記載の医療情報ポータルシステム。
【請求項３３】
現在刊行されている医学関係誌から選択された前記論文項目が第三者プロバイダから定期的に供給されることを特徴とする請求項２５記載の医療情報ポータルシステム。
【請求項３４】
前記複数の疾患用モジュールが、兆候及び症状に基づいて検索することが可能な情報を含むことを特徴とする請求項２５記載の医療情報ポータルシステム。
【請求項３５】
少なくとも１つの臨床用計算機、複数の臨床例（エビデンス）リソース、複数の選択されたニュース及び医学文献論文、少なくとも１つの研修医勤務及び経歴リソース、並びに、複数の選択された患者リソース、のうちの少なくとも１つを含むヘルスケア業務補助リソースを処理する電子補助ツール手段をさらに備えることを特徴とする請求項２５記載の医療情報ポータルシステム。
【請求項３６】
情報及びサービスといったヘルスケア関連リソースをユーザに提供するためのコンピュータを基盤としたシステムにおいて、コンピュータ・システムによって実現され、医師およびヘルスケア提供者を含むユーザを対象とする医療情報ポータルシステムにおいて、該医療情報ポータルシステムは、
（Ａ）疾患研究補助リソースと、疾患診断補助リソースと、治療ガイドラインと、医学参考文献と、疾患に関する疾患情報を個々に有する複数の疾患用モジュールとのうちの少なくとも１つを含む、疾患診断用および研究用リソースのうちの少なくとも１つのリソースを処理する診断用ツール手段であって、兆候及び症状に基づいて検索することが可能な情報が前記複数の疾患用モジュールに含まれる診断用ツール手段と、
（Ｂ）オンラインによる継続的医学教育（ＣＭＥ）用リソースと、ユーザを専門医学会と接続するリンクと、ユーザを医学部のコンピュータサイトと接続するリンクと、ダウンロード可能な講義材料及びスライドキットと、委員会レビューの準備についてのレビュー情報と、医学関係会合カレンダと、会合レポータとのうちの少なくとも１つを含む専門分野自己開発用リソースを処理する学習用ツール手段と、
（Ｃ）患者がメディアで何を目にしているかに関するメディア情報と、患者に関連する情報を含む複数の患者向け配布物と、ユーザを患者支援グループと接続する複数のリンクと、臨床試験情報と、少なくとも１つの健康ガイドとを含む患者用リソースを処理する患者用ツール手段と、
（Ｄ）ヘルスケア関連テクノロジに関する複数の製品レビューおよび／または選択された記事項目と、専門技術用語辞典と、専門技術用語に関する問い合わせ可能な情報とのうちの少なくとも１つを含むヘルスケア関連テクノロジ・リソースを処理するヘルスケア関連テクノロジ用ツール手段と、
（Ｅ）現在刊行されている医学関係誌から選択された論文項目と、選択された最近の医学上の発見と、医療業界における重大ニュースと、選択された医学上の専門分野に関連するニュースと、ユーザが指定した個人的な優先順位に関連するカスタマイズされたニュースとのうちの少なくとも１つを含む医学ニュースを処理するニュース用ツール手段であって、現在刊行されている医学関係誌から選択された前記論文項目が第三者プロバイダから定期的に供給されるニュース用ツール手段と、
（Ｆ）（ｉ）ユーザが規定可能なコンピュータサイト検索機能と、所定のコンピュータサイト検索機能とのうちの少なくとも一方を有し検索を行うための検索手段と、（ｉｉ）文書と、リンクと、ユーザ用の個人的な優先順位とを記憶するためのユーザ専用のフォルダ手段と、（ｉｉｉ）少なくとも１つの医学教科書と、医学関係誌と、少なくとも１つの医薬品参照テキストと、臨床医療に関する論文のうちの１または２以上を含む基礎医学リソースへの参照（レファレンス）群と、（ｉｖ）オンラインによる継続的医学教育（ＣＭＥ）サービスと、オンラインによる臨床意思決定支援サービスと、医学上の雑学（医療雑事）へのアクセス手段と、（ｖ）少なくとも１つの医学用辞書と、のうちの少なくとも１つを含むツールバーと
を備え、
（Ｇ）前記ツール手段内の前記リソースのうちの少なくとも１つのリソースの利用を専門医免許所有ユーザに制限し、専門医免許情報を含むユーザ登録情報を収集するユーザ登録手段と、専門医免許情報を認証する認証手段と、前記少なくとも１つのリソースのうちの利用制限が設けられた少なくとも１つのリソースの利用に必要な専門医免許をユーザが所有するかどうかを特定し、前記リソースのうちの前記利用制限が設けられた少なくとも１つのリソースへのアクセスに利用制限を設ける制限手段とをさらに備え；利用制限が設けられていないリソースが、前記ニュース用ツール内のリソースの少なくとも一部と、前記患者用ツール内のリソースの少なくとも一部と、メルク・マニュアルと、最善の医療実施マニュアルと、１または２以上の医学教科書と、１または２以上の医学用辞書と、前記ヘルスケア関連テクノロジ用ツール内のリソースの少なくとも一部と、前記複数の疾患用モジュールと、前記医学関係会合カレンダと、前記会合レポータと、専門医学会への前記リンクと、医学部サイトへの前記リンクと、研修医勤務および／または研究奨学金の機会に関する情報と、臨床試験情報と、代替医療に関する情報とを備えるグループから選択され；利用制限が設けられた前記少なくとも１つのリソースの利用が、ヘルスケアに携わる専門家或いは医学生として特定されたユーザに限定され、前記利用制限が設けられたリソースが前記フォルダ手段と、少なくとも１つの臨床用ツールと、少なくとも１つの医学教科書と、少なくとも１つの医薬品参照テキストと、オンラインＣＭＥサービスと、講義資料と、スライドキットとを備えるグループから選択され；さらに、利用制限が設けられた前記少なくとも１つのリソースの少なくとも一部の利用が医師免許を所有する医師に制限され、
（Ｈ）少なくとも１つの臨床用計算機、複数の臨床例（エビデンス）リソース、複数の選択されたニュース及び医学文献論文、少なくとも１つの研修医勤務及び経歴リソース、並びに、複数の選択された患者リソース、のうちの少なくとも１つを含むヘルスケア業務補助リソースを処理する電子補助ツール手段をさらに備えることを特徴とする医療情報ポータルシステム。
【発明の詳細な説明】
【関連出願に関する記載】
【０００１】
本願は、本願明細書で参照により援用されている米国特許出願番号第６０／３６４，７４３号、“メルク・メディカス（ＭｅｒｃｋＭｅｄｉｃｕｓ）のためのコンピュータにより実現および／または支援されるプロセスおよびシステム”（２００２年３月１８日出願）に基づく優先権を主張するものである。
【０００２】
本願は、同一の発明者に対して付与された以下の米国特許出願、代理人整理番号１０５４５６.１２３、１０５４５６.１２４、１０５４５６.１２５、１０５４５６.１２６および１０５４５６.１２７に関連し、これら特許出願のすべては本願明細書で参照により援用されている。
【技術分野】
【０００３】
本発明は、医療分野における専門的リソースに対して統一したアクセスを行うための、コンピュータに関連した、および／またはコンピュータにより支援されたシステム、方法およびコンピュータプログラム装置を提供せんとするものである。特に本発明は、医師並びにその他のヘルスケアプロバイダなどのヘルスケアに携わる専門家ユーザを対象とする専門的ヘルスケア関連リソースに対する統一したアクセスを管理し、および／または提供する方法およびシステムに関し、この方法およびシステムには、或るリソースへのアクセスの利用を或るタイプのヘルスケアに携わる専門家ユーザに制限することが可能なケースが含まれる。
【背景技術】
【０００４】
ヘルスケアの分野では、従来ヘルスケアに携わる専門家は医学系出版社から情報を得ることができたが、この情報は単に印刷物にすぎなかった。一方、大学の研究施設には著しい数の蔵書が備えられてはいるが、残念ながらこれらの蔵書は一般に医師の利用に供されていないため、ヘルスケア情報を含むペーパーリソースは量が膨大でありそれへのアクセスが著しく困難となることがある。
【０００５】
電子的に情報を提供する試みでは、利用制限が設けられた情報を持つ初期のウェブサイトには様々な企業体や大学の研究施設あるいは医師会がスポンサとしてついていた。それにもかかわらず医師たちの間には、これらのウェブを、医師が必要とする情報および／またはその他のリソースを提供するためのリソースとして認識するという意識が欠けていた。これらのサイト上でプレミアムリソースの供給を行うことも可能であったかもしれない。にもかかわらず医師およびその他のヘルスケアに携わる専門家たちに対してこれらのプレミアムリソースの開示および／またはこれらのプレミアムリソースへのアクセスは制限されていた。
【０００６】
情報およびその他のヘルスケアについての専門的リソースを提供するこれら従来の手段は結果的に、ヘルスケアプロバイダに不公平な活躍の場をもたらすものとなった。それに加え、現在、オフィスに勤務するヘルスケア専門家や、地方在住のヘルスケア専門家や、施設に勤務していないヘルスケア専門家たちが直面している複数の別の障害が存在する。
【０００７】
医師並びにその他のヘルスケアプロバイダたちは現在は現状に順応している。彼らは自分たちの現在の習慣を変えそうにはない。ずっと高レベルの利用可能な情報が存在していても、その情報は残念ながら、医師並びにヘルスケアプロバイダがそれらを入手する手段がなく、その結果最終的にヘルスケアの改善がもたらされなくなる。それでも、時間および／またはコストの節減が可能となるということは、医師やヘルスケアに携わる専門家たちが彼らの習慣を変える主要な動機づけのうちの１つとなる。
【０００８】
従来、こういった情報および／または情報の収集プロセスはヘルスケアプロバイダたちにとって困難で、手に余るものであった。この種の情報は、１つの便利な場所だけでは得ることができない場合がある。さらに、情報自体が不便なものである場合もある。例えば、雑誌購読により情報が提供される場合、一般に複数の雑誌購読を行うことで費用がかさむことになる。一方、教科書の情報は最新の情報ではないことが考えられる。さらに、教科書、医学関係誌およびライブラリは、一般にオフィスと病院との間の往来を含む医師の放浪的（nomadic）仕事には全く適していない。ウェブを介して提供され得るような情報は、種々の情報に関連して提供される複数のサイト、パスワード、フォーマット、ブラウザおよび検索エンジンに関して乱雑で、混乱したものとなる場合がある。最終的に、医師およびその他のプロバイダは、雑誌購読数、アカウント、ＩＤおよびパスワードをあまりに多く持ちすぎているため、情報が扱いにくいものになっている。
【０００９】
インターネットの利用に関して、医師がオンラインで提供される情報やサービスの品質に疑いを抱く場合もある。さらに、例えば、ユーザに知られていない（unbeknownst）ある特定の製品のスポンサがついている結果、このような情報とサービスに対して偏りがある可能性がある。サイト内の情報が探索可能な場合であっても、提供された検索エンジンが医師の問い合わせに最も関係のある探索結果を検索できない場合もある。
【００１０】
ある状況では、情報やサービスへのアクセスが特定の使用許諾や特殊なアクセス技術と結びついている場合がある。例えば、医師が、或る情報やサービスを取得するために、ある特定のコンピュータの使用やある一定のテクノロジのインストールを要求される場合がある。
【００１１】
さらに、製薬会社が提供するサイトには医師に焦点を絞り込んでサービスする傾向が見られない。これらのサイトは製品の売り込みを行うためのサイトであり、患者の方へ目が向けられている。これらのサイトは顧客としての医師の要望に応えるものではない。要するに、従来の方法によって情報やサービスを得ることは困難であると言える。
【００１２】
医師を対象とするウェブサイトの１つの具体例としてＭＥＤＳＣＡＰＥ／ＷＥＢＭＤがある。しかし、医師には知られていない（unbeknownst）ことではあるが、ＭＥＤＳＣＡＰＥ／ＷＥＢＭＤには業界のスポンサがついていて、偏りが見られる。別の例として、上記サイトでは、最適の医学関係誌とテキストなどのプレミアムリソースに対して利用制限が設けられたアクセスが医師に提供されている。というのは、この情報を利用可能にすることに金銭的な動機が存在しないからである。さらに、これらのタイプのサイトとして典型的なように、ＭＥＤＳＣＡＰＥ／ＷＥＢＭＤは、プレミアムリソースをオンラインで送信できるほど十分な数のプレミアムリソースへのアクセスを有しているものではない。
【００１３】
一方、医師はますます増加する圧力に直面している。ヘルスケアに携わる開業医に対するこれらの圧力には時間的な圧力の増加が含まれる。この圧力の増加は、おそらく忙しい医療業務と人を圧倒するペーパーワークとに起因するものである。同時に、ヘルスケアに携わる開業医は収入の減少にも直面している。ヘルスケア開業医はまた、関連情報の分類を行う時間の減少に伴って情報の過剰にも直面している。
【００１４】
医師やその他のヘルスケアに携わる専門医が、文献の探索、専門医療関連ニュースの読込み、専門医学関係誌の読込み、患者教育用資料の探索、医薬品参照データベースの利用、近日開催予定会議の検索、オンラインによる継続的医学教育（ＣＥ）への関与、一般大衆向け定期刊行物の医療関連ニュースの読込み、同僚との交信、臨床試験に関する発見、医療用装置に関する学習、医療用テキストの読込み、および／または、ＭＤチャットルームへの参加を含む複数のオンライン活動に係り合っていると、本発明の発明者は結論付けた。本発明者によれば、一次医療プロバイダおよび専門医のそれぞれ５８％および５１％がオンラインによるＣＥを利用していると推定される。
【００１５】
医師たちは主として医療情報サイトを参照して最新情報と参考資料を見つけていると本願発明者は結論した。どの医療情報サイトを利用するかを決める際に医師が用いる最も重要な３つの要因についての質問に対する回答で本願発明者による１つの調査では以下の回答が得られた。
記載事項                                  割合（％）
メドライン（Ｍｅｄｌｉｎｅ）文献探索      ６４％
医療関連ニュースの更新および警告報知      ５３％
医学関係誌                                ４７％
医薬品参照データベース                    ３４％
医学教科書                                ３０％
継続教育オンラインコース                  ２９％
患者関係情報およびガイド                  ２０％
臨床試験情報およびリンク                  １５％
医学会および医学関連会議のリスト            ７％
金融ニュースおよび世界のニュース            ５％
地域社会とメッセージボード                  ４％
【００１６】
本願発明者は、諮問委員会、１対１の面談およびオンラインユーザの能力テストを含むウェブサイトの機能について医師に対して広範な調査を行った。上記表は、１５４人の医師回答者のオンライン利用実態の調査結果を特徴的に表すものである。
【００１７】
オンライン医師マーケット動態研究（ＺＩＭＥＮＴ）（２００１年２月／５月（Ｑ９））によれば、医師にとって品質、信憑性および利用の容易さがオンラインサービスの最も重要な特性である。以下の項目は専門医および一次医療医にとってのオンラインサービスの重要な属性である：
＊  信頼できる情報を提供すること。
＊  品質の高い情報を提供すること。
＊  利用し易いこと。
＊  最新の健康情報および医療情報を提供すること。
＊  通常の症例や健康状態について効果的な調査を行うことができること。
＊  包括的であること。
＊  他所で簡単にアクセスできないプレミアムの医療リソースを提供すること。
＊  患者と医師とのより良いコミュニケーションに役立つこと。
＊  専らドクターにとって利用可能であり、一般の消費者には利用できないこと。
＊  優先順位や専門分野に基づいてサイトをカスタマイズする機能を提供すること。
＊  専門的外見と感性を備えていること。
＊  他のサイトよりユニークであること。
（＊これらの属性は一次医療医に比べて専門医にとっては重要度が小さい。）
【００１８】
本願明細書で参照により援用されるアイリフ（Ｉｌｉｆｆ）の米国特許出願第６,４８２,１５６号にも記載の、ヘルスケア情報を提供する従来システムの或る態様が図１に例示されている。アイリフ（Ｉｌｉｆｆ）の特許は、ネットワークアクセスを含むコンピュータ化された医療診断および治療アドバイスシステムに関するものである。図１は、アイリフ（Ｉｌｉｆｆ）に準拠するデータベースファイルと処理の概念図を示すブロック図である。患者ログイン処理１５０を利用して予め登録済みの患者が特定される。介助士ログイン処理１７２を利用して予め登録済みの介助士が特定される。被介助患者ログイン処理１７６を利用して予め登録済みの患者が特定される。患者登録処理１５２を利用して新規の患者すなわち初診の患者が登録され、さらに、介助士登録処理１７４を利用して新規の介助士すなわち初回の介助士が登録される。患者が予め登録されていなければ、被介助患者登録処理１７８を利用して患者登録が行われる。ひとたびログまたは登録が行われると、システムは患者に対する診断を実施する評価処理１５４、および／または治療テーブル処理１５６を行って、疾患または診断に関する現在の治療情報を取得する。これらの処理と関連するものとして、患者および介助士登録データベース１６０、診察履歴データベース１６２、患者応答データベース１６４、病歴オブジェクトデータベース１６６、患者病歴データベース１６８、未決事項データベース１６９および患者に対する薬物治療データベース１７０がある。
【００１９】
本願明細書で参照により援用されるドラッカー（Ｄｒｕｃｋｅｒ）らの米国特許出願第６,５０５,１９６号にも記載がある従来のシステムを示す或る態様が図２に例示されている。ドラッカー（Ｄｒｕｃｋｅｒ）は文献へのアクセスの改善を図る方法および装置を開示している。図２はメドライン（Ｍｅｄｌｉｎｅ）データベースへの問合せを行うための例示インタフェースを示す図である。１列のアクションボタン２００〜２０４が設けられ、個々のアクションボタンは異なる機能を実行する。アクションボタン２００〜２０４の下部には問合せ用語を入力するためのセクション２１０があり、このセクションには３つのテキストボックス２１１〜２１３が設けられている。テキストボックス２１１〜２１３の中へどのような言葉を入力しても、３つの方式を用いてその探索を行うことが可能である。この方式はプルダウンボックス２１４〜２１６を用いて選択される。例えば、ボックス２１４にはオプションとしてテーマ、著者名またはタイトルに含まれる単語が含まれる。問合せの言葉を入力すると、探索が可能となる。問合せが発信されると、パラメータに一致するすべての記録の検索が行われる。探索結果が多すぎる場合、セクション２２０で探索に制限を設けることが可能であり、セクション２２０には複数の探索制限用ボックス２２１〜２２８が設けられている。これら個々の制限用ボックスによってユーザは探索時に制限を設けることができる。例えば、開始の日付／終了の日付、特定の言語で書かれた論文、人間／動物についての結果データを含む論文、年齢グループ、性別、論文番号、医学関係誌、出版物の種別、および／または論文の種別について探索制限を設けることができる。
【００２０】
残念ながら、上述のシステムを含む従来のシステムでは医師の上記のニーズを満たすことはできなかった。さらに、これら従来のシステムのいずれも、医師、ヘルスケア開業医あるいは医学生などの専門家が情報および／またはサービスなどのヘルスケアに関連するリソースにアクセスするためのオンラインでの統一方式を具体的に提供するものではない。さらに、従来のシステムを用いる場合、例えば、病気の診断、公式および非公式双方での専門分野における自己開発の学習および進展、患者のための適切なリソースへのアクセス、ヘルスケアに関連するテクノロジについての情報の取得、医療関連ニュースのレビュー、および／または基礎医学リソースの電子ライブラリへのアクセスなどのヘルスケアに携わる専門家としての実務に関係のある内容を高速に探索しおよび／または当該内容の所在位置を発見することは可能ではない。医師およびその他のヘルスケア開業医へのこのような支援に対する要望は放置されている。
【００２１】
しかし、上述の従来技術は今日の医学共同体の要望を満たすものではない。例えば、本願では、医師およびヘルスケアに携わる専門家の間では、医療用インターネットにとってキーとなる単一のポータルで利用可能な最新のツールおよびリソースを含むウェブサイトの方が好まれると結論した。本願では、医師およびその他のヘルスケアプロバイダがこのようなサイトが倫理的で、信頼性があり、洞察力に富み、烙印が押されたものではなく（unbranded）かつ客観的であることの方をより好ましく思うであろうという結論に達した。本願ではさらに、このようなサイトが医師およびその他のヘルスケアに携わる専門家を対象とするサイトであるべきであり、このサイトがプレミアムの医療リソースへのアクセスを与えるべきであるとの結論に達した。
【発明の開示】
【発明が解決しようとする課題】
【００２２】
本発明は、上記記載の従来方式の技術とシステムの欠陥を改善するものである。本発明によって、さらにターゲットが絞られ、さらに効率のよいものとなる、許可ベースのものにすることも可能な、医師およびその他のヘルスケアプロバイダへの情報提供が可能となる。本発明は、医師らがより良い治療を施すのに役立つタイムリで適正な情報の取得を補助し、支援するものである。本発明の１または２以上の態様に準拠するシステムは適正なフォーマットで正しい情報を提供するものである。システムは情報の適切なフィルタリング（篩い分け）も行う。本発明が医師へ提供する別の永続的価値として１つのサイトにおけるリソースの集成（aggregation）がある。本発明は、ある対象の医師をターゲットとする情報配信のきわめて簡単な方法を提供し、これらの医師が新しい情報により容易に触れることを可能にするものである。本発明は医師と患者とに同時に利益をもたらす最善の治療を促進するものである。
【００２３】
少なくとも１つの実施形態では、本発明は利用可能な膨大な収集リソースを一体のものとして医師にもたらすものである。本発明はその幅において比類のないコンテンツ・ライブラリを提供するものである。ハリソン（Ｈａｒｒｉｓｏｎ）のオンライン、セシル（Ｃｅｃｉｌ）の医学教科書、プラクシス・ドット・エムディ（Ｐｒａｘｉｓ．ｍｄ）、メルク・マニュアルおよびその他の多くのリソースなどの通読に適した検索エンジンが本発明のオプションとして提供される。さらに、本発明は、ＭＤ相談などの１または２以上の探索リンクを提供するものであり、これらのＭＤ相談によって上記探索リンク自身の非常に包括的なライブラリが提供される。以上全てを含めて、これら多くのリソースによって一次医療および想像し得るほとんどすべての専門分野がカバーされる。ユーザは全般にわたる閲覧を利用したり、専門分野の閲覧を選択したりすることにより自分の経験を自分専用のものとすることも可能となる。これら閲覧の各々はそれ自体がポータルであってもよい。オプションのフォルダ機能により、医師は広範囲にブックマークをつけて自分の訪問を文書化し、自分の進行状態（たとえば前回行った探索、研究リンク）の追跡を行うことが可能となる。本発明には、ボードレビューの質疑を設けた包括的な専門分野についての自己開発領域と、多くの会合から得られるユニークな内容を有する医学関係の会合が記載されたカレンダと、パートナーサイトを介してＣＭＥクレジットを取得する機能とが含まれる。患者向けリソース領域の方がほとんどの医師向けウェブポータル領域を上回っており、オプションとして、医師が簡単に印刷できる患者向け配布印刷物の莫大な収集へのアクセスがこの領域に含まれている。別のリソースとしては、患者たちがメディアで目にしているものについてのカバーエリア、多数の医学的処置に関連するカラーのイラスト及び読み易い説明、並びに、患者用の臨床試験の所在位置を見つけるのに役立つリソースを含むものもある。臨床ワークフロー用ツールには、オプションとして、臨床用計算機、ＩＣＤ-９検索エンジン、医薬品相互作用チェック、および／または抗生物質選択（ＴｈｅｒａＤｏｃ（商標））と困難な鑑別診断（Ｄｘｐｌａｉｎ（商標））とに関して支援が行われる専門家向けシステムが含まれる。オプションとして、電子アシスタントによって、関連するニュースおよび医学関係誌への迅速なリンクと、オプションとして、医師のハンドヘルドコンピュータにダウンロードすることも可能な経歴情報及び臨床意思決定支援用ツールとが提供される。無料のアクセス申込みサイト（たとえば、ハリソン（Ｈａｒｒｉｓｏｎ）のオンライン、プラクシス・ドット・エムディ（Ｐｒａｘｉｓ．ｍｄ）、ＭＤ相談など）のような、いくつかのユニークで強力な機能を設けることも可能である。別のオプションのリソースとして、講義ビルダおよびプレゼンテーションビルダがあり、これらのビルダによって、ユーザは、パワーポイント文書などへの組み込み用としてカスタムスライドの作成が可能となり、また、このビルダには公開で行われる演説の際のアドバイスなどが含まれている。
【００２４】
したがって、本発明の１または２以上の実施形態によって、統一されたユーザ・インタフェースにおける場合のように、コンテンツまたはサービスの高速探索および／またはこれらコンテンツまたはサービスの所在位置の迅速な発見を可能とするシステムおよび／または方法が提供される。さらに、内容、情報、および／またはサービスなどのリソースが、例えば、病気の診断、公式および非公式双方の専門分野についての自己開発の学習および応用、患者のための適切なリソースへのアクセス、ヘルスケア関連テクノロジに関する情報の取得、医療関連ニュースのレビュー、および／または基礎医学リソースの電子ライブラリへのアクセスなどのヘルスケアに携わる専門家としての実務と相関づけられるものであることが本発明によって規定される。このようなシステムおよび／または方法は医師の放浪的（nomadic）就労形態を容易にし、リソースに対する迅速なアクセスを提供するものである。さらに、本発明の１または２以上の実施形態によれば、ある層のプレミア・ソースへのアクセスは専門医の免許を所有するユーザ、医学生、および／または医師免許を所有する医師などに制限される。
【００２５】
本発明の１または２以上の実施形態によれば、オンラインサービスに入る“表玄関”を示す単一のオンラインでの宛先が与えられて、医師またはヘルスケア開業医が顧客の便宜を高め、情報配信効率の向上を図り、データの収集とデータのターゲット化の強化を図ることが可能となる。さらに、本発明の１または２以上の実施形態は、カスタマイズ可能な、各個人に合わせたヘルスケア情報と最新技術によるツール並びにリソースのセットをユーザに提供して、医師やその他のヘルスケアプロバイダが効率的治療を施し、テクノロジを使いこなし、最新の治療を行える状態でいることの助けとなるようにするものである。コンテンツとしては、専門の参考文献、医療関連ニュース、医師向け教育、検索エンジン、業務管理情報、および／またはその他のリソースへのリンクを含むことができる。リソースとしては、疾患教育用リソース、専門分野における自己開発用リソース、医療管理技術並びに患者リソースを含むことができる。その他のツールの提供も可能である。
【課題を解決するための手段】
【００２６】
本発明は、情報とサービスなどのヘルスケア関連リソースをユーザに提供するための方法、システム並びにコンピュータプログラム装置、コンピュータシステムによって実現される、医師およびヘルスケアプロバイダを含むユーザを対象とする医療情報ポータルシステムおよび／または方法を提供するものである。本発明の１または２以上の実施形態によれば、上記医療情報ポータルシステムおよび／または方法には、疾患研究用補助リソースと、疾患診断用補助リソースと、治療ガイドラインと、医学参考文献と、疾患に関する疾患情報を個々に有する複数の疾患用モジュールとのうちの少なくとも１つを含み、疾患診断用および研究用リソースのうちの少なくとも１つのリソースを処理する診断用ツールが含まれる。専門分野における自己開発用リソースを管理（処理）する学習用ツールであって、オンラインによる継続的医学教育（ＣＭＥ）用リソース、ユーザを専門医学会と接続するリンク、ユーザを医学部のコンピュータサイトと接続するリンク、ダウンロード可能な講義材料およびスライドキット、ボードレビューの準備に関するレビュー情報、医学関係の会合が記載されたカレンダ、および会合レポータのうちの少なくとも１つを含む学習用ツールも提供される。また、患者がメディアにおいて何を目にしているのかに関するメディア情報と、患者のための情報を含む患者向け配布（印刷）物と、ユーザを患者支援グループと接続するリンクと、臨床試験情報と、少なくとも１つの健康ガイドとを含む患者用リソースを処理する患者用ツールも提供される。
【００２７】
オプションとして、本発明の１または２以上の実施形態には、ヘルスケア関連テクノロジに関する製品レビューおよび／または選択された記事と、専門技術用語の用語辞典と、専門技術用語に関する問い合わせが可能な情報とのうちの少なくとも１つを含むヘルスケア関連テクノロジのリソースを処理するヘルスケア関連テクノロジ用ツールとが含まれる。
【００２８】
オプションとして、本発明の１または２以上の実施形態には、医学関係誌から選択された現時点での記事項目と、最近の医学上の選択された発見と、医療業界における最新ニュースと、医学上の選択された専門分野に関連するニュースと、ユーザが指定した個人的な優先順位に関連するカスタマイズされたニュースと、のうちの少なくとも１つのニュースを含む医学ニュースを処理するニュース用ツールとが含まれる。
【００２９】
オプションとして、本発明は、（ｉ）ユーザが定義可能なコンピュータサイト検索機能と、所定のコンピュータサイト検索機能とのうちの少なくとも一方を有する検索用ツールと、（ｉｉ）文書と、リンクと、ユーザの個人的な優先順位とを記憶するためのユーザ専用フォルダと、（ｉｉｉ）少なくとも１つの医学教科書と、医学関係誌と、少なくとも１つの医薬品参照（レファレンス）テキストと、臨床医療・薬剤に関する（エビデンスに基づく）医学論文のうちの１または２以上を含む基礎医学リソースへの参照（レファレンス）群と、（ｉｖ）オンラインによる継続的医学教育（ＣＭＥ）サービスと、オンラインでの臨床決定支援サービスと、医学上の雑学情報（医療雑事）へのアクセスと、（ｖ）少なくとも１つの医学用辞書と、のうちの少なくとも１つを含むツールバーを含む。１または２以上のツール内のリソースのうちの１つは、専門医免許を所有するユーザに利用が制限される。本発明は、専門医免許情報を含むユーザ登録情報を収集するユーザ登録用コンポーネントと、専門医免許情報を認証する認証用コンポーネントと、ユーザが、利用制限が設けられた少なくとも１つのリソースの利用に必要な専門医免許を所有するかどうかを特定し、利用制限が設けられたリソースへのアクセスに利用制限を設ける制限用コンポーネントと、を含むことができる。ニュース用ツール内のリソースの少なくとも一部分と、患者用ツール内のリソースの少なくとも一部分と、メルク・マニュアルと、「最善の医療実施」マニュアルと、１または２以上の医学教科書と、１または２以上の医学辞書と、ヘルスケア関連テクノロジ用ツール内のリソースの少なくとも一部分と、疾患用モジュールと、医学関係の会合が記載されたカレンダと、会合レポータと、専門医学会へのリンクと、医学部（大学院）のサイトへのリンクと、研修医勤務および／または研究奨学金（フェロウシップ）の機会に関する情報と、臨床試験情報と、代替医療に関する情報と、を備えるグループから利用制限のないリソースが選択される。オプションとして、利用制限が設けられたリソースの利用が、ヘルスケアに携わる専門医または医学生として認定されたユーザに制限され、利用制限が設けられたリソースが、フォルダと、少なくとも１つの臨床用ツールと、少なくとも１つの医学教科書と、少なくとも１つの医薬品参照（レファレンス）テキストと、オンラインによるＣＭＥサービスと、講義資料とスライドキットとを備えるグループの中から選択される。オプションとして、利用制限が設けられた少なくとも１つのリソースの少なくとも一部分の利用は免許を所有する医師に制限される。
【００３０】
本発明の１または２以上のオプションの実施形態によれば、現在刊行されている医学関係誌から選択された記事項目が第三者のプロバイダから定期的に供給される。またオプションとして、複数の疾患用モジュールには、兆候と症状とにより探索することが可能な情報が含まれる。
【００３１】
本発明はオプションとして、少なくとも１つの臨床用計算機、臨床例（エビデンス）リソース、選択されたニュース及び医学文献論文、少なくとも１つの研修医勤務と経歴リソース、並びに、選択された患者用リソース、のうちの少なくとも１つを含むヘルスケア業務補助リソースを処理（管理）する電子補助ツールをさらに含む。
【００３２】
以上、これ以降に続く本発明の詳細な説明をより良く理解できるように、また、従来技術に対する本発明の貢献をより良く理解できるように、本発明のより重要な特徴についてかなり概括的に略述した。言うまでもなく、本明細書で以下説明する本発明の追加的特徴が存在し、これらの特徴は本明細書に添付の請求項に係る発明主題（対象）を形成するものである。
【００３３】
以上の点に関して、本発明の少なくとも１つの実施形態を詳細に説明する前に、本発明がその適用において、実施形態における構成の詳細に限定されるものでなく、並びに、以下の詳細な説明に記載し、あるいは図面に例示される構成要素の配置構成に限定されるものではないことを理解されたい。本発明は別の実施形態にも適用可能であり、種々の方法による実現並びに実施が可能である。また、ここで用いられる用語および専門術語は説明を目的として使用するものであって、本発明を限定することを意図して使用するものではないことを理解されたい。
【００３４】
したがって、いわゆる当業者であれば理解できるように、本発明のいくつかの目的を実行するための別の構造、方法およびシステムを設計するための基礎として、本開示の基礎となるコンセプトをいつでも利用することが可能である。したがって、本発明の精神と思想範囲から外れない限り、請求項に係る発明はこのような等価な構成を含むものと考えることが重要である。
【００３５】
さらに、頭書の要約は、一般に米国特許商標庁および公衆、特に特許や法律用語を熟知していない当業における科学者、技術者および開業医が、簡易な調査だけで本願の技術的開示の性質と本質とを迅速に検出できるようにするためのものである。上記要約は本願に係る発明を規定する意図のものではなく（そのような規定は請求項によって判断される）、ましてや、本発明の権利範囲に関して限定することを意図するものでは決してない。これらは、本発明の別の対象物と共に、本発明を特徴づける新規性ある種々の特徴と一体になって、本開示に添付され本開示の一部を形成する請求項で特に指摘される。本発明と、本発明の機能する利点と、本発明の利用により達成される特定の目的とをよりよく理解するためには、本発明の好適な実施形態が例示されている添付図面及び説明事項を参照することが望ましい。
【００３６】
添付図面を参照することにより、以下の発明の詳細な説明から本発明の上述した利点およびその他の利点についてより良い理解を得ることができる。
【発明の効果】
【００３７】
本発明によって、さらにターゲットが絞られ、さらに効率のよい、許可ベースのものにすることも可能な、医師およびその他のヘルスケアプロバイダへの情報提供が可能となる。本発明によれば、医師がより良い治療を施すのに役立つタイムリで適正な情報の取得を補助し、支援することが可能となる。本発明の態様に準拠するシステムによれば、適正なフォーマットで正しい情報が提供される。システムは情報の適切なフィルタリングも行う。本発明が医師へ提供する別の永続的価値として１つのサイトにおけるリソースの集成（aggregation）がある。本発明によれば、医師をターゲットとする情報配信のきわめて簡単な方法を提供し、医師が新しい情報により容易に触れることが可能になる。本発明は医師と患者とに同時に利益をもたらす最善の治療を促進する。
【発明を実施するための最良の形態】
【００３８】
以下の詳細な説明には多くの具体的な詳細情報が含まれる。このような詳細情報を含むことは専ら例示を目的とするためであり、本発明の限定を意図するものではないことを理解すべきである。本解説を通じてずっと、説明の容易さを図るために同様の要素については種々の図において同じ参照番号を用いて参照することにする。さらに、１の実施形態での特徴を本発明の別の実施形態の特徴と組み合わせる場合もある。
【００３９】
本発明はオンライン宛先サイトを提供するものである。この宛先サイトからは、特にヘルスケアに携わる専門家にとって、双方向型の便利な方法で、ヘルスケア関連リソースのライブラリへのアクセスを行うことが可能となる。本発明に係るこのサイトで提供されるコンテンツは包括的なものとなることを意図されている。本発明の１または２以上の実施形態に係るサイトは、頑丈で使い易く、医師や、その他のヘルスケアに携わる専門家並びに訓練中の専門家の要望により適合したものになることを意図するものである。本発明は、広範で深い範囲の高品質で信頼性のある情報用ツール及びリソースへのアクセスを提供することで医薬を用いた治療実務の補助を行うように意図されるものである。本発明の１または２以上の実施形態に係るサイトは直感的に編成され、視覚的散乱状態が生じないようにすることが可能である。本発明の利用と関連してアクセスされるコンテンツはサイトのプロバイダからおよび／または第三者の情報源から入手できるようになっている。オプションとして、適正なユーザ登録後に或る種のツールおよび／またはカスタマイゼーション機能へのアクセスを行うこと、および／または、或る種のツールへのアクセスに対して利用制限を設けることが可能である。
【００４０】
本発明によって、医師が利用できる広大な範囲のリソースを一括してもたらすシステム及び方法の提供が可能となる。したがって、１または２以上の実施形態によれば、本発明はその幅において比類なきコンテンツ・ライブラリを提供するものとなる。本発明は、オプションとして、ハリソンのオンライン、セシルの医学教科書、プラクシス・ドット・エムディ（Ｐｒａｘｉｓ．ｍｄ）、メルク・マニュアルおよびその他の多くのリソースなどのコンテンツの通読に適した検索エンジンを提供するものである。さらに、本発明によって、リンク自身が有する非常に包括的なライブラリを提供するＭＤ相談（エムディ・コンサルト）などの１または２以上の検索リンクが設けられる。以上総てを含めて、本発明の１または２以上の実施形態を通じてアクセス可能なこれら多くのリソースは、一次医療および／または任意の専門分野をカバーすることができる。オプションとして、ユーザは、全体図を利用したり、専門用の図を選択することにより自分の経験を各個人に専用のものとすることが可能となる。これらの図の各々は、それ自体で医療用ポータルに見えるものとすることができる。オプションのフォルダ機能によって、医師は、例えば、広範囲のブックマークを用いて自分の訪問を文書化し、自分の進行状態（前に行った探索、研究リンクなど）の追跡を行うことが可能となる。オプションとして、本発明は、ボードレビューについての質疑と；多くの会合の内容へのアクセスが設けられているオプションとしての医学関係の会合が記載されたカレンダと；さらにオプションとしての、パートナーサイトを介してＣＭＥクレジットを（に）取得／アクセスできる機能などを備えた、包括的な専門分野での自己開発領域を含むことができる。オプションの患者用リソース領域の方がほとんどの医師用ウェブポータルの領域を上回る場合もある。さらにオプションとして、このオプションの患者用リソース領域には、医師が簡単に印刷できる患者向け配布印刷物の莫大な収集リソースへのアクセスを含むことができる。
【００４１】
別のリソースは、患者たちがメディア中で着眼するものについての報道、カラーのイラスト、多数の医学的処置に関連する読み易い説明、並びに、患者用の臨床試験の所在するサイトの発見に役立つリソースを含むことができる。臨床ワークフロー用ツールは、オプションとして、臨床用計算機、ＩＣＤ-９検索エンジン、医薬品の相互作用のチェック、並びに、抗生物質の選択（ＴｈｅｒａＤｏｃ（商標））と困難な鑑別診断（Ｄｘｐｌａｉｎ（商標））とに関して支援を行う１または２以上のエキスパート・システムを備えることができる。オプションとして、電子アシスタントによって、関連するニュースおよび医学関係誌への迅速なリンクと、経歴情報と、オプションとして医師のハンドヘルドコンピュータまたはＰＤＡにダウンロードすることも可能な臨床決定支援ツールとが提供される。（ハリソン（Ｈａｒｒｉｓｏｎ）のオンライン、プラクシス・ドット・エムディ（Ｐｒａｘｉｓ．ｍｄ）、エムディ・コンサルト（ＭＤ相談）などの）購読サイトへの無料アクセスのような、いくつかのユニークで強力な機能を設けることも可能である。別のオプションとして、講義ビルダおよびプレゼンテーション・ビルダがあり、このビルダによって、ユーザは、パワーポイント（商標）文書などへの組み込み用として特注スライドの作成が可能となり、一般の人々に対する口頭でのアドバイスなどを行うことが可能となる。
【００４２】
本発明の１または２以上の態様によってヘルスケア用および医療用リソースへのアクセスが提供される。本願明細書で使用する“リソース”という用語は、情報、サービス、コンテンツ、アプリケーション、および電子的に利用可能なその他すべてのものを包含することを意図するものである。したがって、本発明の１または２以上の実施形態においては、医療用情報リソースとして、例えば１または２以上の参照文献および／またはデータベースが含まれ、下記のリソースを含む複数の優れたおよび／または決定的な医療用情報リソースに電子的にアクセスすることが可能となる。
＊  国立医学データベース・ライブラリ：メドライン（Ｍｅｄｌｉｎｅ）、エイドライン（ＡＩＤＬＩＮＥ）、生命倫理ライン、キャンサーリット（ＣＡＮＣＥＲＬＩＴ）
＊  ハリソンの医療原理
＊  ドーランドの医学辞書
＊  内科医卓上レファレンス（ＰＤＲ）およびＰＤＲ医薬品相互作用データベース
＊  モスビィ（Ｍｏｓｂｙ）のジェンルクス（Ｇｅｎｒｘ）、患者用ジェンルクス（Ｇｅｎｒｘ）およびＤｒｕｇ  Ｍａｓｔｅｒ  Ｐｌｕｓ（医薬品相互作用データベース）
＊       
メルク・マニュアル・オンライン
＊       
メルク・マニュアル家庭版
＊  セシルの医学教科書、および／または
＊  プラクシス・エムディ（ＰｒａｘｉｓＭｄ）による最善の医療
【００４３】
オプションとして、本発明は、これらリソースのいくつかを個々に探索する機能をユーザに提供したり、収集リソースの中から関連するコンテンツを検索する検索エンジンをユーザに提供したりすることができる。簡単なおよび／または高度の探索機能を提供することも可能である。
【００４４】
別の医療用情報リソースとしてＭＤ相談（エムディ・コンサルト）、つまり医師およびその他のヘルスケア・プロバイダの臨床上の内容に対してサービスを提供している医療用情報リソースの収集リソース、がある。ＭＤ相談（エムディ・コンサルト）は、購読申込形式によってのみ通常医師が利用できるリソースの一例であるが、本発明に係る登録ユーザもこのＭＤ相談（エムディ・コンサルト）を利用することができる。
【００４５】
本発明の１または２以上の実施形態によれば、リソースは、記事見出し、要約をはじめ、ＪＡＭＡ、ＮＥＪＭ、ＬＡＮＣＥＴ、内科医療年報（Ａｎｎａｌｓ  ｏｆ  Ｉｎｔｅｒｎａｌ  Ｍｅｄｉｃｉｎｅ）、ＢＭＪなどの医学関係誌から得られる医学関係誌の記事論文といった入手可能なニュースを含むことができる。その他のニュース・リソースが、医学関係の最新ニュース・ストーリ（医師の治療にインパクトを与える可能性があるものなど）のニューズワイヤ・サービスから供給される場合もある。リソースには、中間的、専門的および／または消費者向けニュースが含まれる場合もある。このようなニュース記事は、ヘルスケア・ビジネス、消費者向け医学ニュース、およびその他の健康関連ニュース項目をカバーし、ロイタ（Ｒｅｕｔｅｒｓ）、ファックス・ウォッチ（ＦａｘＷａｔｃｈ）、ニュースＲＸ（ＮｅｗｓＲＸ）などの専門分野のリソースおよび／または一般大衆向け定期刊行物（lay press）のリソースから得られる場合もある。オプションとして、ユーザ向けニュースは、ユーザ登録情報に一致する項目といった、ユーザに利害関係をもつ項目に限定することも可能である。
【００４６】
医療情報リソースの別の例は、継続的医学教育（ＣＭＥ）、オンラインＣＭＥ、少なくとも主要な専門分野ごとの会議のリストが記載された医学関係会合カレンダ、専門委員会による正式認可および再認可のための種々の治療領域に関連するボードレビューに関する情報および／またはレビュー用モジュール、専門別医学会へのリンク、政府ウェブサイトへのリンク、医学部（大学院）へのリンク、および／または臨床試験情報へのアクセスなどといった専門分野における自己開発用リソースおよびツールが含まれる。
【００４７】
別のタイプのリソースは患者に係り、該患者に係るものとしては、オプションとして編集可能／カスタマイズ可能にもできる小冊子などの患者教育用資料、患者が自分の疾患と治療についてより良く理解するのに役立つ患者向けに企図された印刷可能記事などの患者用シート、（オフライン、オンライン、および／または印刷物形式の）一般大衆向け定期刊行物の健康関連ニュース記事のアーカイブなどの患者向け健康ニュース、ＮＩＨおよび／または業界のスポンサが付いたもののような臨床試験についての検索が可能なデータベースといった臨床試験情報、種々の罹患状態にあるような患者に対してサービスを提供している支援グループへのリンク、および／または、カスタマイズ可能で、印刷可能で、および／または、電子メール送受信可能な患者教育用資料と消費者向け医学ニュースとを含む最善の健康ガイド、などがある。
【００４８】
さらに別のタイプのリソースとしては実用技術に係り、該実用技術は、例えば、医療行為に影響を与える技術上の問題点に関するニュース記事及び特集記事を含む健康関連技術（テクノロジ）ニュースと、請求書発行、スケジューリング・システム、電子医療記録管理などの医療業務用の最新オフィス技術の再査／比較などの健康関連テクノロジ業者（ベンダ）の評価と、ヘルスケア関連テクノロジ専門の教授からの電子メールによる質疑応答並びにＦＡＱなどの双方向型技術サービスと、検索可能な技術用語のリストなどの技術用語辞典と、および／または医療業務における科学技術の洗練度のレベルを査定する実用技術査定サービスと、を含む。
【００４９】
さらに別のタイプのリソースとしては診断補助に係り、該診断補助は、例えば、医師による臨床情報の入力に基づいて医師が正しい診断を行うのに役立つような疾患についての説明を含み、該診断補助が提供するものとしては、可能性のある診断、正当化の根拠、取得すべき追加臨床情報に対する提案があり、さらにこれらに加えて／これらと代替させて、ある特定の疾患の固有の兆候／徴候と、臨床例（エビデンス）に基づく臨床治療ガイドラインと、および／または、主要なおよび／または通常の疾患などの多数の疾患の概観を示すための疾患用モジュールであって、疫学、病態生理学、診断、治療などを含む疾患用モジュールとに係るリストがある。
【００５０】
オプションとして、ユーザは、便利でかつ今後参照できるように、論文、患者資料、および／またはリンクを編成し、保存できる電子フォルダを個々のユーザ用として設けることがもきる。
【００５１】
別のタイプのリソースには、病院ベースの視聴者（居住者、家事スタッフ並びに病院勤務医）の要望に対応する病院向けのサービス提供用リソースが含まれる。このようなリソースに含まれるものとしてはたとえば、居住者と医学生の要望にターゲットを絞った、種々の情報源から得られる医療用並びに非医療用情報、計算機およびコンテンツを含む医療用計算機／情報や；医療についての質疑／臨床上の問題点に対する、問題に基づく迅速な解決策に取り組んでいるユーザを支援するＰＤＡの医療用コンテンツ及びテーブルのオーガナイザなどを含むことができる。病院勤務医を対象とするリソースには、例えば病院勤務医にとって最も適切なものとして、コアとなるサイト・コンテンツなどから精選された参照（レファレンス）テキストと、該コアサイトから精選されユーザがカスタマイズ可能で、ＰＤＡにダウンロード可能なコンテンツと、重要な臨床計算用のプログラム作成可能な医療用計算機などが含まれる。
【００５２】
別のリソースには、例えば、患者の固有データに基づいて行う臨床例ベースの療法、治療及び薬物投与量の勧告と、患者教育用のオンラインによるＩＣＤ-９コード・レファレンスと；ＰＤＡソフトウェアと；医学の講義などへ組み入れるためのオプションとしてダウンロードも可能な疾患画像、チャート、および表を含む内科医学のブルンワルド（Ｂｒｕｎｗａｌｄ）の内科医学図解書（アトラス）などの十分に尊重されているテキストをウェブで利用できるバージョンと、ニュース、分析、ポスタ、および主要な医学関係の会合から得られる講義の梗概を含む会合レポータとを提供する臨床支援用ツールが含まれる。
【００５３】
図３は、本発明に基づく医療情報ポータルの１または２以上の実施形態に係るブロック図である。好適には、この医療情報ポータルが、１または２以上のユーザ３０３がアクセスできるコンピュータ・システム３０１上で実現されることが望ましい。ユーザは、サイン・イン、登録、リソースへのアクセスなどの通常用いられるいずれの方法でも、インターネット３３３上のポータルなどのシステムと交信を行うことができる。
【００５４】
本発明に準拠するシステムは、１または２以上のツール、すなわち、疾患研究のための診断用ツール３０５と、専門分野における自己開発のための学習用ツール３０７と、患者用リソースに関連する患者用ツール３０９と、健康関連テクノロジに関連するテクノロジ用ツール３１１と、ニュースおよび更新用ツール３１３と、高速参照（クイックレファレンス）用ツール３１５と、および／または電子支援用ツール３１７、のセッとを含んでもよく、上記ツール設定によって、ヘルスケアに携わる専門家は直感的に種々のリソースの編成を行うことができる。適正であれば、医療関連用語辞典などの１または２以上のリソースを２組以上のツール内に含めることができる。リソースや医学関係誌の論文などの複数のリソース群用として３３５、３３７などの種々の索引、梗概、要旨を設けてもよい。
【００５５】
本発明の１または２以上の態様によれば、本発明にはローカルなヘルスケア関連リソース３１９が含まれ、本システムは独自のテキストなどのヘルスケア関連リソース３１９に直接アクセスすることができる。本発明の一態様によれば、インターネット３３３を介してヘルスケア関連リソース３２３、３２５、３２７、３２９へのアクセスを行うこともできる。リソースは、医学関係誌３２３、医学部（大学院）３２５、ユーザがアクセスを行うためにユーザが資格を有することを判断基準にする、利用制限が設けられたアクセスリソース３２７、および／または患者向けリソース３２９などを含むものであってもよい。オプションとして、本システムには、たとえばユーザ名と連絡先情報並びに免許情報などを示す個々のユーザ用のユーザ登録データ３３１が含まれる。システムは１または２以上の医療ニューズワイヤ・サービス３２１を介してニュースを受信することもできる。本システムは、上記セットのツールを利用して、さもなければあまりにも混乱をきたしおよび／または扱いにくいためにアクセスが不可能となるであろう（特にリソース全体として）多種多様の多数のリソースに対して、統一化され体系化されたアクセスを好適に提供するものである。
【００５６】
図４乃至図１０は、本発明と関連して利用に供されるツール・セットの例を示す図である。本発明の１または２以上の実施形態はこれらのツール・セットのすべてまたは一部を含むものであってもよい。さらに、これらの図は上記ツールと共に含まれるリソースの例を示すことを目的とするものである。このため、本発明の１または２以上の実施形態には、これら種々のリソースを含んでも、省略しても、拡張しても、および／または、組み合わせを行ってもよい。適当であれば、２組以上のツールの中にリソースを含めてもよい。さらに、リソースは、本システムのオペレータに独自のものであってもよいし、別のパーティから取得したものであってもよいし、電子的にアクセス可能なところであればどこに位置するものであってもよい。
【００５７】
本発明の医療情報ポータルの１または２以上の実施形態に係る診断用ツール３０５の一例を示す図４を次に参照する。診断用ツール３０５には、例えば、疾患研究支援部４０１、疾患診断支援部４０３、治療ガイドラインおよび“最善の治療”４０５、医学参考文献４０７および／または疾患の専門家による説明を伴ういくつかの疾患用モジュール４０９が含まれる。本例では、疾患用モジュールはオプションとしてローカルなシステム内に記憶される。本システムは、１または２以上の疾患研究リソース４１３、１または２以上の疾患診断リソース（オプションとして利用制限が設けられる）４１１、および／または１または２以上の医学参考文献（オプションとして利用制限が設けられる）４１５、４１７へのアクセスを提供するものである。アクセスはローカルにおよび／またはインターネット３３３などのネットワークを介して行うことができる。このようにして、１組の診断用ツールの中に便利にグループ化された形で、インターネット上でアクセスできる医療診断用を対象としたリソースをユーザは利用することが可能となる。このグループ化はさらに、診断に適用する際、或る一定のリソースに対するヘルスケア専門医の直感的類別に合うものである。
【００５８】
本発明の医療情報ポータルの１または２以上の実施形態に係る学習用ツール３０７の一例を示す図５を次に参照する。学習用ツール３０７には、例えば、オンラインによる継続的医学教育（ＣＭＥ）５０１（情報および／またはプロバイダ）；専門医学会に対するレファレンス（リンク、リストなど）５０３；医学部に対するレファレンス５０５；講義資料５０７およびその一部（スライド・ライブラリ、プレゼンテーション資料、講義の概要など）；ボードレビュー資料、ボードに関する情報などの医学関係のボードレビュー情報５０９；および／または医学会合カレンダ及び医学会合レポ−タ５１１が含まれる。これらのリソースの中には、例えば、医学会合カレンダ５２５、医学関係委員会情報５２３、および／または講義資料５２１などのようにシステムにとって好便なローカルなものがあってもよい。インターネット３３３を介して別のリソースにアクセスすることも可能である。学習用ツールにとって適切なリソースには、ＣＭＥプロバイダ５１３、医学部サイト５１５、専門医学会５１７および／または医学関係委員会サイト５１９などが含まれる。アクセスはローカルにおよび／またはインターネット３３３などのネットワークを介して行うことができる。このようにして、１組の学習用ツールの中に便利にグループ化された形で、インターネット上でアクセスできる医療学習用を対象としたリソースをユーザは利用することが可能となる。このグループ化はさらに、学習に適用する際、或る一定のリソースに対するヘルスケア専門医の直感的類別に合うものである。
【００５９】
本発明の医療情報ポータルの１または２以上の実施形態に係る患者用ツール３０９の一例を示す図６を次に参照する。患者用ツール３０９には、例えば以下のうちの１または２以上が含まれる：患者向けメディア参照文献（レファレンス）６０１、患者向け配布印刷物６０３、患者支援グループ６０５、臨床試験６０７、および／または健康ガイド。本システムは、本例の場合のように、患者用メディア参照文献（レファレンス）６１３、患者支援グループ６１５、および／または臨床試験６１７などへのより好適なアクセスを提供するための患者向け配布印刷物６１１のデータベースおよび／または索引と梗概とを含むことができる。他のリソースは、一般大衆向けメディアに現れる記事６１９、患者支援グループサイト６２１、および／または臨床試験サイト６２３を含むことができる。アクセスはローカルにおよび／またはインターネット３３３などのネットワークを介して行うことができる。このようにして、１組の患者用ツールの中に便利にグループ化された形で、インターネット上でアクセスされる医療患者用を対象としたリソースをユーザは利用することが可能となる。患者に適用する際、このグループ化はさらに、或る一定のリソースに対するヘルスケア専門医の直感的類別に合うものである。
【００６０】
本発明の医療情報ポータルの１または２以上の実施形態に係るヘルスケア関連テクノロジ用ツールの一例を示す図７を次に参照する。ヘルスケア関連テクノロジ用ツール３１１には、例えば、製品レビュー７０１、ヘルスケア関連テクノロジの特集記事７０３、専門技術用語辞典７０５、および／または専門技術用語や新技術製品に関する問合せ可能な情報などが含まれる。これらのリソース（ヘルスケア関連テクノロジ関連記事７０９など）の中にはローカルに記憶することができるものもある。アクセスはローカルにおよび／またはインターネット３３３などのネットワークを介して行うことができる。リソースが十分に拡散される場合などのように、適切あるいは望ましい場合には、システムは、製品レビューなどに関連するリソースの索引及び要旨７１１を含むものであってもよい。リソースは、製品レビュー７１３、およびヘルスケア関連テクノロジ関連記事７１５などを例示の実施態様に含むことができる。このようにして、１組のヘルスケア関連テクノロジ用ツールの中で便利にグループ化された形で、インターネット上でアクセスできるヘルスケア関連テクノロジを対象としたリソースをユーザは利用することが可能となる。このグループ化はさらに、ヘルスケア関連テクノロジに適用する際、或る一定のリソースに対するヘルスケア専門医の直感的類別に合うものである。
【００６１】
本発明の医療情報ポータルの１または２以上の実施形態に係る医療関連ニュース用ツール３１３の一例を示す図８を次に参照する。医療関連ニュース用ツール３０５には、例えば、選択された最近の医学文献８０１、最近の医学上の発見８０３、最新の医療関連ニュース８０５、医学上の専門分野に関連するニュース８０７、および／またはカスタマイズされた医療関連ニュース８０９が含まれる。医療関連ニュースリソースは、例えば、医学関係誌８１９、医療関連ニュース８２１、および／または医療関連ニュースの１または２以上のニューズワイヤ８２３を含むことができる。選択された医学文献８１１、最近の医学上の発見および最新の医療関連ニュース８１５に対する索引と梗概などの、リソースに対する適切なおよび／または望ましい索引を設けてもよい。リソース用の医療関連ニュースリソースは、（例えば最新であるとは今日の記事であることを意味するものとする、などの）任意の適切な方法により“選択”してもよい。或いは、医療関連ニュースリソースは、第三者により“選択され”、供給されたものであってもよい。個々のユーザは、所望の場合、カスタマイズされた医療関連ニュース８１７に対して優先順位を設けることが可能であり、このカスタマイズされた医療関連ニュース８１７を用いて、ニュースを篩にかけ、カスタマイズした医療関連ニュース８０９とすることができる。アクセスはローカルにおよび／またはインターネット３３３などのネットワークを介して行うことができる。このようにして、１組の医療関連ニュース用ツールの便利にグループ化された形で、インターネット上でアクセスできる医療関連ニュースを対象としたリソースをユーザは利用することが可能となる。このグループ化はさらに、医療関連ニュースに適用する際、或る一定のリソースに対するヘルスケア専門医の直感的類別をに合うものである。
【００６２】
本発明の医療情報ポータルの１または２以上の実施形態に係る電子支援用ツール３１７の一例を示す図９を次に参照する。電子支援用ツール３１７には、例えば、臨床用計算機９０１、選択されたニュース及び医学文献論文関連のレファレンス９０３、選択された患者用リソース９０５、臨床例（エビデンス）リソース９０７、および／または研修医勤務および経歴リソース９０９が含まれる。オプションとして、電子支援用ツールにより提供されるリソースは、特に、ユーザ９１１のＰＤＡ、ユーザ９１３のハンドヘルド・コンピュータまたは別の遠隔装置９２７などのようにツールが携帯用である場合、ユーザの電子ツールへのダウンロードに適したリソースである。このシステムは、種々の患者向け配布印刷物９２５、医療用計算機９２９、医療用ガイドライン９３１、医学関係誌８１９、患者向け記事９３３、１または２以上の研修医勤務ゲートウェイ９３５、および１または２以上の医学上の経歴の機会９３７を提供することができる。適当な場合あるいは望ましい場合、選択された論文９１５へのリンク、選択された患者用リソース９１７へのリンク、計算機および決定支援部９１９へのリンク、臨床例（エビデンス）リソース９２１へのリンク、および／または医学上の経歴リソース９２３へのリンクなどのような選択されたリソースの索引、梗概または選択されたリソースへのリンクを設けてもよい。アクセスはローカルにおよび／またはインターネット３３３などのネットワークを介して行うことができる。このようにして、１組の電子支援用ツールの中に便利にグループ化された形で、インターネット上でアクセスできる電子支援ツール用に適したリソースをユーザは利用することが可能となる。このグループ化はさらに、電子支援に適した或る一定のリソースに対するヘルスケア専門医の直感的類別に合うものである。
【００６３】
本発明の医療情報ポータルの１または２以上の実施形態に係るツールバー３１５の一例を示す図１０を次に参照する。このツールバーは、サイトにアクセスしている間、最も一般的に使用するリソースへのより容易なアクセスを提供するために、ユーザ・インタフェース上で存続することを意図するものである。“最も一般的に使用する”とは、医師がその治療の実施時にいつでも使える状態に置いておくことを期待するようなリソースなどにより決定することができる。これらのリソースは別のセットのツールと関連して提供される（またはされない）リソースを含むものであってもよい。ツールバー３１５には、例えば、臨床用ツール１００１、１または２以上の検索エンジン１００３、および／または一般的に使用される医療用リソース１００５が含まれる。図示の例のリソースには、１または２以上の臨床用計算機１０２１、医学教科書１０２３、医学関係誌１０２５、医薬品参照（レファレンス）テキスト１０２７、医学論文１０２９、医学用辞書１０１９、および／またはＣＭＥプロバイダ１０３１が含まれる。アクセスはローカルにおよび／またはインターネット３３３などのネットワークを介して行うことができる。適切な場合および／または望ましい場合、種々の臨床用計算機１０１１、医学教科書１０１３、選択された医学関係誌の記事及び、医学論文１０１５、および／またはＣＭＥプロバイダの各索引を設けてもよい。サイト検索エンジン１００７などのいくつかのリソースをローカルに設けてもよい。オプションとして、本システムは、ユーザがリンクおよび／またはユーザ選択リソースを記憶することができる個々の登録ユーザ用フォルダ１００９を含むことができる。このようにして、１つのツールバーの中に便利にグループ化された形で、インターネット上でアクセスされるツールバーに適したリソースをユーザは利用することが可能となる。ツールバーに適用する際、このグループ化はさらに、いつでも使える状態に置いておくことが望ましいリソースなどの或る一定のリソースに対するヘルスケア専門医の直感的類別に合うものである。
【００６４】
図１１は、本発明の医療情報ポータルの１または２以上の実施形態に係る、オプションの疾患研究用ツール１１０１、専門分野における自己開発用ツール１１０５、患者リソース用ツール１１０３、ヘルスケア関連テクノロジ用ツール１１０７、電子支援用ツール、医療関連ニュース用ツール１１１１、および／またはツールバー１１１３などのツール・セットを含むホームページ１１００を示す例示的ユーザ・インターフェースを示す図である。ユーザは、１組のツール（またはその中にリストされたリソース）またはツールに対応するタブを選択することができ、さらにユーザには適切なユーザ・インタフェースが提供することが可能である。
【００６５】
ツールバー１１１３は検索機能を含むものであってもよい。図示の例では、ツールバーには、サイト検索１１１５と、メドライン（Ｍｅｄｌｉｎｅ）１１１７などの特定リソースの検索とが含まれる。ツールバー１１１３はオプションとして、ユーザのフォルダ１１２１へのアクセスを含むものであってもよい。このツールバーは、１組の臨床用ツール１１２１と、本願でさらに説明する１組の別のリソース１１２３とを含むものであってもよい。オプションとして、ツールバー１１１３は、ユーザが本発明に係るポータルにいる間、すべてのページに表示される。
【００６６】
ニュース及び更新ツール１１１１は論理的にグループ化された種々のセットのリソースを含むものであってもよい。図示の例では、ニュース用ツール１１１１には、医学関係誌から選択された最新の医学文献１１２５；重大ュース１１２７；一般医学ニュース１１２９；専門分野ニュース１１３１、および／または選択された消費者向けニュース１１３３が含まれる。任意のまたはすべてのこれらのリソースに含まれるニュースは第三者のプロバイダにより供給されるものであってもよい。これは、リソースが適正な使用許諾を必要とする場合特に好都合である。代替として、サイトは１または２以上のリソースに含まれるニュースの選択を行うことができる。例えば、“最新の医学文献”とは、１０件の最も名声の高い医学関係誌などから得られる例えば最近３０日などのある特定の複数日数以内の文献としてもよい。
【００６７】
図１２は、本医療関連ニュース用ツールの１または２以上の実施形態に係る最新の定期刊行医学文献用の例示的ユーザ・インタフェースを示す図である。本例では、リソースは独立した第三者の情報源により提供され、ポップアップ画面１２０１が当該第三者のサイトを表示する。或いは、その第三者のサイトがフレーム付きで表示される場合もある。本例では、該第三者が記載された論文及び見解を独立に選択している。
【００６８】
図１３は、本医療関連ニュース用ツールの１または２以上の実施形態に係る重大ニュース用のユーザ・インタフェースの一例を示す図である。本例では、重大ニュースは、第三者により提供されているが、その第三者は、専門家の治療の実施に直接的で密接な関係を持つと予想される最新ニュースに基づいて、独自に論文を選択している。このリソースは本例ではポップアップ画面１３０１に示されている。
【００６９】
本医療関連ニュース用ツールの１または２以上の実施形態に係る一般的医学ニュース用の例示的ユーザ・インターフェースを示す図１４を参照する。本例では、一般医学ニュースは第三者リソースにより提供される。このリソースにアクセスすることにより、ユーザ・インタフェースは医療関連ニュース画面１４０１を表示する。本例ではツールバー１１１３がオプションとしてユーザ・インタフェース上に残る点に留意されたい。
【００７０】
医療関連ニュース用ツールの１または２以上の実施形態に係る専門ニュース用の例示的ユーザ・インターフェースを示す図１５を参照する。本例では、専門分野の医療関連ニュースが選択され、このニュースは第三者リソースにより提供されている。この専門分野のニュースは登録中のユーザが指示した１または２以上の専門分野に対応するニュースである。このリソースにアクセスすることにより、該ユーザ・インタフェースは、選択された専門分野の医療関連ニュース画面１５０１を表示する。再言するが、本例でもツールバー１１１３がオプションとしてユーザ・インタフェース上に残る点に留意されたい。
【００７１】
図１６は、医療関連ニュース用ツールの１または２以上の実施形態に係る消費者向けニュース用ユーザ・インタフェースを示す図である。本例では、第三者リソースにより消費者向け医学ニュースが提供され、ニューヨーク・タイムズ（商標）などの素人の人々が一般にアクセスするニュース・リソースから上記ニュースは好適に選択される。消費者向けニュース・リソースにアクセスすることにより、ユーザ・インタフェースは、消費者向け医学ニュース画面１６０１を表示する。再言するが、本例でもツールバー１１１３がオプションとしてユーザ・インタフェース上に残っている点に留意されたい。
【００７２】
本発明の医療情報ポータルの１または２以上の実施形態に係る診断用ツールに関連するユーザ・インタフェースの一例を示す図１７及び１８（原ＦＩＧ．１７）を次に参照する。この診断用ツールは種々のセットのリソースを含むものであってもよい。これらの診断用リソース自体は、ユーザに対して個々に示してもよいし、および／または、さらに論理的なグループ化を行ってもよい。図示の例では、診断用ツールには、“最善の医療”などの１または２以上の医学参考文献１７０１；ディーエックス・プレイン（ＤｘＰｌａｉｎ）（商標）などの１または２以上の診断サービス１７０３；国定治療ガイドラインのリスト１７０５；メルク・マニュアル（商標）などの１または２以上の一般的医療用テキスト１７０７；セシル（商標）などの１または２以上の医学教科書１７０９；疾患定義、疫学、病態生理学、診断および／または治療ガイドラインなどの簡潔な疾患情報を含む疾患用モジュール；及び／又は、他の医学参考文献１７１３が含まれる。本例では、ツールバー１１１３はオプションとしてユーザ・インタフェース上に残っている。
【００７３】
診断用ツールと関連して提供される医師用参照リソースのための例示的ユーザ・インターフェースを示す図１９（原ＦＩＧ．１８）を参照する。本例では、医師用参照リソースである“最善の医療”が、標準参考文献には典型的なように、第三者により提供される。このリソースは本例ではポップアップ画面１８０１に示されている。
【００７４】
本発明の１または２以上の実施形態に係る、疾患診断サービス用例示的ユーザ・インターフェース、診断用ツールを介してアクセスされるリソースを示す図２０（原ＦＩＧ．１９）を参照する。本例では、疾患診断用リソースは第三者により提供されるサービスである。このリソースは本例ではポップアップ画面１９０１に示されている。
【００７５】
図２１（原ＦＩＧ．２０）は、原ＦＩＧ．１９の疾患診断サービス用の例示的ユーザ・インターフェースを示す別のページ２００１を示す図である。本発明は、ユーザとの交信を行うための双方向型リソースを可能にするものである。このケースでは、ユーザは診断サービスへの入力を促される。図２２（原ＦＩＧ．２１）は、原ＦＩＧ．１９の疾患診断サービスの例示的ユーザ・インタフェースの別のページ２１０１を示す図であり、ユーザ入力に対する応答として返されてきた症例の発見を示すものである。本例に図示されているように、リソースからユーザに対して、さらに別の入力を行うように双方向的に促すようにしてもよい。
【００７６】
本診断用ツールと関連して利用に供される臨床治療ガイドライン用リソースのための例示的ユーザ・インターフェースを示す図２３（原ＦＩＧ．２２）を参照する。本例では、この“国定ガイドライン情報センタ”（商標）というリソースが第三者により提供される。このリソースは本例ではポップアップ画面２２０１に示されている。
【００７７】
原ＦＩＧ．１７の診断用ツールと関連して利用に供される別の医学参考文献用例示的ユーザ・インターフェースを示す図２４（原ＦＩＧ．２３）を参照する。本例では、医学参考文献である“メルク・マニュアル”が、何らかの必要な許可を取得することにより本サイトの通信事業者により提供される標準的文献である。このリソースは本例ではポップアップ画面２３０１に示されている。
【００７８】
図２５（原ＦＩＧ．２４）は、一例として原ＦＩＧ．１７の診断用ツールと関連して利用に供される医学教科書用ユーザ・インターフェースを示す図である。本例では、医学教科書は第三者のプロバイダにより提供される。このリソースは本例ではポップアップ画面２４０１に示され、ツールバー１１１３はオプションとしてユーザ・インタフェース上に残る。
【００７９】
本診断用ツールと関連して利用に供される疾患用モジュールのためのユーザ・インタフェースの一例を示す図２６（原ＦＩＧ．２５）を参照する。本例では、疾患用モジュールはシステム・オペレータにより提供される。この疾患用モジュールは、種々の疾患の各々に関する一貫性のある情報レベルの提供を意図するものである。したがって、本例では、疾患用モジュールの中に、定義＆類別情報、疫学、病態生理学、診断情報および治療ガイドラインが含まれる。このリソースは本例ではポップアップ画面２５０１に示されている。
【００８０】
原ＦＩＧ．１７の診断用ツールと関連して利用に供される１組の医学参考文献用例示的ユーザ・インタフェースを示す図２７及び２８（原ＦＩＧ．２６）を参照する。医学参考文献である“リソース”２６０１には、本例では、ＭＤ相談（エムディ・コンサルト）（商標）などの医学相談用ウェブサイトのライブラリ２６０３；ハリソンのオンラインなどの医学用データベース２６０５；メルク・マニュアルなどの標準的医療用テキスト２６０７；セシルの教科書などの医学教科書２６０９；「最善の医療」などの治療要点レファレンス２６１１；および／またはドーランドの医学辞書などの医学用辞書２６１３を含む別の組のリソースが含まれる。
【００８１】
医学参考文献ツールと関連して利用に供される医学ウェブサイトのライブラリ用ユーザ・インタフェースの一例を示す図２９（原ＦＩＧ．２７）を参照する。本例では、レファレンス、ＭＤ相談（エムディ・コンサルト）（商標）は、ユーザを支援するための梗概及び要旨を含む別の収集リソースである。本例は、リソース自体がさらに別の層の直感的グループ化をユーザに提供できること、および、それでも本発明によってレファレンスであることが可能であることを示すものである。このリソースは本例ではポップアップ画面２７０１に示されている。
【００８２】
本医学参考文献ツールと関連して利用に供される医学用データベース用例示的ユーザ・インターフェースを示す図３０（原ＦＩＧ．２８）を参照する。本例では、医学用データベースは第三者により提供され、このデータベース自体に索引が設けられ、梗概が付けられ、このデータベース自体の検索が可能である。本例ではこのリソースはポップアップ画面２８０１に示されている。
【００８３】
図３１及び３２（原ＦＩＧ．２９）は、本発明の医療情報ポータルの１または２以上の実施形態に係る学習用ツール用例示的ユーザ・インターフェースを示す図である。学習用ツールである“リソース”２９０１には、本例では、継続的教育用リソース２９０３；講義プレゼンテーション用リソース２９０５；医学関係会合カレンダ及び会合レポータ２９０７；委員会（ボード）レビュー作成用リソース２９０９；臨床試験情報２９１１；および／または専門医学会とのリンクおよび医学部リンク２９１３を含む別の組のリソースが含まれる。本例では、このページにはツールバー１１１３が含まれる。
【００８４】
本学習用ツールと関連して利用に供されるユーザ・プロフィール用例示的ユーザ・インターフェースを示す図３３（原ＦＩＧ．３０）を参照する。本例では、ユーザ・プロフィール３００１は、オンラインによるシーエムイー（ＣＭＥ）サービスの開始に関連する収集情報を提供する。
【００８５】
図３４（原ＦＩＧ．３１）は、本学習用ツールと関連して利用に供される講義資料およびプレゼンテーション３１０１用のユーザ・インタフェースの一例を示す図である。このセットのツールで収集されたリソースには、医学上の概念を例示する、内科医学アトラス、スライドなどから得られるような視覚資料、および／またはこの概念を伝えるテキストなどが含まれる。これらのリソースは、写真、図面、チャート、表、統計、テキストなどであってもよい。個々の視覚資料は印刷が可能であり、あるいは（トピックなどによる）グループ化を選択することも可能である。本例では、ツールバー１１１３が含まれている。
【００８６】
原ＦＩＧ．３１の講義資料およびプレゼンテーションと関連して利用に供される内科医学スライド及びダイアグラムの標準的参考文献用の例示的ユーザ・インターフェース３２０１を示す図３５（原ＦＩＧ．３２）を参照する。本例では、参考文献である、「内科医学オンラインによるブラウンワルド（Ｂｒａｕｎｗａｌｄ）のアトラス」が標準文献であり、この文献は第三者のプロバイダにより提供されるものであってもよい。このリソースは本例ではポップアップ画面３２０１に示されている。
【００８７】
図３６（原ＦＩＧ．３３）は、原ＦＩＧ．３１の講義資料およびプレゼンテーションと関連して利用に供されるスライド画像バンク用のユーザ・インタフェースの一例を示す図である。本例では、スライド画像バンクは独自のものであってもよいし、第三者のプロバイダにより提供されるものであってもよい。本スライド画像バンクは、視覚資料によって医学上の概念を示すための対象疾患領域をリストするものである。本例では、このリソースの検索を行うことが可能である。本例ではこのリソースはポップアップ画面３３０１に示され、ツールバー１１１３がオプションとしてユーザ・インタフェース上に残っている。
【００８８】
本発明の医療情報ポータルの１または２以上の実施形態に係る患者用ツールのユーザ・インタフェースの一例を示す図３７及び３８（原ＦＩＧ．３４）を参照する。患者用ツール３４０１には種々の組のリソースが含まれる。これらの患者用リソース自体は、ユーザに対して個々に示してもよいし、および／または、さらに論理的なグループ化を行ってもよい。図示の例では、患者用ツール３４０１には、テレビのショー、雑誌、医学関連ウェブサイト、ニュースなどのメディア中で、及び、男性の健康、女性の健康、高齢者の健康、１０代の健康および子供の健康などの範疇によって、患者が何を目にしているかに関連する１または２以上のリソース３４０３、最善の健康ガイド用リソース（このリソース自体に別の患者用リソースが含まれる）３４０５；「医療用情報のメルク・マニュアル（家庭版）」などの標準的消費者向け医療用テキスト３４０７；患者教育用配布印刷物および／またはシートの収集物３４０９；臨床研究に関する情報３４１１；および／または患者支援グループについてのレファレンス３４１３が含まれる。本例では、ツールバー１１１３がオプションとしてユーザ・インタフェース上に残っている。
【００８９】
本患者用ツールと関連して利用に供される、患者がメディアで何を目にしているかに関する情報用の例示的ユーザ・インターフェースを示す図３９（原ＦＩＧ．３５）を参照する。本例では、このレファレンス、すなわち患者がメディアで何を目にしているかに関するリソースは第三者のプロバイダにより提供されたものであってもよく、一般的メディアに現れた医療関連ニュースを編集したものであってもよい。このリソースは本例ではポップアップ画面３５０１に示されている。本例では、ツールバー１１１３はオプションとしてユーザ・インタフェース上に残っている。
【００９０】
図４０（原ＦＩＧ．３６）は、患者がメディアで何を目にしているかに関する情報についての別例用の例示的ユーザ・インターフェースを示す図である。本例では、レファレンス、即ちニュースは、アメリカ心臓学会などの第三者プロバイダにより提供されたものであってもよい。このリソースは本例ではポップアップ画面３６０１に示されている。
【００９１】
図４１（原ＦＩＧ．３７）は、原ＦＩＧ．３４の患者用ツールと関連して利用に供される患者用配布印刷物用の例示的ユーザ・インターフェースを示す図である。本例では、患者に提供するのに適した多数の配布印刷物へのアクセスが可能であり、第三者プロバイダによるこれら配布印刷物の提供も可能である。好適には、（例えば医師情報および／または患者情報を付加することにより）これら患者向け配布印刷物を個人専用のものとしたり、印刷、および／または電子メール送受信を行うことが可能であることが望ましい。このリソースは本例ではポップアップ画面３７０１に示されている。図示の例では、ツールバー１１１３はオプションとしてユーザ・インタフェース上に残っている。
【００９２】
図４２（原ＦＩＧ．３８）は、患者用ツールと関連して利用に供される、臨床試験情報用の例示的ユーザ・インターフェースを示す図である。本例では、レファレンスであるセンタ・ウォッチ（Ｃｅｎｔｅｒ  Ｗａｔｃｈ）は第三者プロバイダにより提供される臨床試験リスティング・サービスである。このリソースは本例ではポップアップ画面３８０１に示されている。
【００９３】
図４３及び４４（原ＦＩＧ．３９）は、本発明の１または２以上の実施形態に関して利用に供される、ヘルスケア関連テクノロジ用ツール用の例示的ユーザ・インターフェースを示す図である。ヘルスケア関連テクノロジ用ツール３９０１は種々の組のリソースを含むものであってもよい。このヘルスケア関連テクノロジ自体は、ユーザに対して個々に示してもよいし、および／または、さらに論理的なグループ化を行ってもよい。図示の例では、該ヘルスケア関連テクノロジ用ツール３９０１には、ヘルスケア関連テクノロジに関するニュース３９０３；テクノロジ特集記事３９０５；ヘルスケア関連テクノロジ・ベンダの評価３９０７；専門用語辞典／辞書３９０９；テクノロジ関連質問への回答サービス３９１１；および／またはユーザのオフィスのオンラインによる技術査定のうちの１または２以上のリソースが含まれる。本例では、ツールバー１１１３はオプションとしてユーザ・インタフェース上に残っている。
【００９４】
本テクノロジ用ツールと関連して利用に供されるヘルスケア関連テクノロジについての問合せサービス用の例示的ユーザ・インターフェースを示す図４５（原ＦＩＧ．４０）を参照する。本例では、“技術系（テクノ）教授への質問”などのテクノロジ上の問合せサービスは、第三者のプロバイダが提供するものであってもよい。このリソースは本例ではポップアップ画面３２０１に示されている。また本例ではツールバー１１１３はサイト上に残っている。
【００９５】
本テクノロジ用ツールと関連して利用に供されるヘルスケア関連テクノロジ査定サービス用の例示的ユーザ・インターフェースを示す図４６（原ＦＩＧ．４１）を参照する。本例では、ユーザのオフィスにおける技術を特徴づける適切な情報を得るためにユーザは問合せを受ける。このリソースは第三者のプロバイダが提供するものであってもよい。本例のリソースは、ポップアップ画面４１０１を介してユーザとリアルタイムで交信を行う。本例はツールバー１１１３の一部を示す。
【００９６】
本医療情報ポータルの１または２以上の実施形態と関連して利用に供される電子支援用ツールのためのユーザ・インタフェースの一例を示す図４７（原ＦＩＧ．４２）を参照する。電子支援用ツール４２０１は種々の組のリソースを含むものであってもよい。この電子アシスタント自体は、ユーザに対して個々に示してもよいし、および／または、さらに論理的なグループ化を行ってもよい。図示の例では、電子支援用ツール４２０１には、１または２以上の臨床用計算機４２０３；ニュースから選択されたもの４２０５；臨床例（エビデンス）リソースの収集物４２０７；研修医勤務および経歴リソースの収集物４２０９；および／または患者用リソースの収集物が含まれる。本例では、ツールバー１１１３はオプションとしてユーザ・インタフェース上に残っている。
【００９７】
図４８（原ＦＩＧ．４３）は、本電子支援用ツールと関連して利用に供される医療関連テクノロジ用オンラインショッピングへのアクセス用の例示的ユーザ・インターフェースを示す図である。オプションとして、本発明は、ヘルスケア関連テクノロジに関連するオンライン・ショップのセレクションのショッピングを行う機能を提供するメニュー４３０１を含むものであってもよい。本例はまた、医療関連実務で使用されるＰＤＡに関する別の医療関連テクノロジ・リソース４３０３も示すものである。
【００９８】
図４９（原ＦＩＧ．４４）は、電子支援用ツールと関連して利用に供されるオンラインおよび／またはＰＤＡで利用可能なリソースへのアクセス用の例示的ユーザ・インターフェースを示す図である。本例では、レファレンス、イーポクラッツ・アールエクス（ｅＰｏｃｒａｔｅｓＲＸ）（商標）はハンドヘルド型ＰＤＡ専用のプログラムである。このようなレファレンスは独自のものであってもよいし、第三者プロバイダにより提供されるものであってもよい。このリソースは本例ではポップアップ画面４４０１に示されている。
【００９９】
本発明の１または２以上の実施形態に係る、ツールバーなどと関連して利用に供される所定サイト検索の例示的検索結果に対して用いられる例示的ユーザ・インターフェース４５０１を示す図５０（原ＦＩＧ．４５）を参照する。本例では、システムのサイトと、ユーザが指定した第三者プロバイダの任意のサイトとの双方に対して検索が行われる。所定の検索タームはユーザが選択したものであってもよいし、ユーザが自分の選択した検索タームを入力したものでもよい。このリソースは本例ではポップアップ画面４５０１に示されている。その表示部に検索結果４５０３が示されている。本例では、検索結果４５０３は、ユーザが必要とする情報を効率的に特定する際に、ユーザを支援するべく、リソースのタイプによりグループ化される。
【０１００】
図５１（原ＦＩＧ．４６）は、本発明の１または２以上の実施形態に係るツールバーなどと関連して利用に供される別のユーザ定義の検索に関連する例示の検索結果用の例示的ユーザ・インターフェースを示す図である。本例では、該検索は、国立医学ライブラリにより提供されるパブ・メッド（ＰｕｂＭｅｄ）などの標準的参考文献に関連するものであり、この検索は第三者プロバイダが提供するものであってもよい。このリソースは本例ではポップアップ画面４６０１に示されている。検索結果４６０３は検索エンジンにより提供されたものとして示されている。
【０１０１】
本医療情報ポータル用のツールバーなどと関連して利用に供される、臨床用ツールのための例示的ユーザ・インターフェースを示す図５２（原ＦＩＧ．４７）を参照する。本例では、上記臨床用ツールは、兆候と症状を発信して、鑑定診断を受信できるリソース・サービス４７０３と；臨床医を対象とする治療意思決定支援ソフトウェア４７０５などの追加的リソースを提供する。このリソースは本例ではポップアップ画面３８０１に示されている。本例では、ツールバー１１１３は上記ユーザ・インタフェースの中に含まれている。
【０１０２】
本臨床用ツールと関連して利用に供される意思決定支援ソフトウェア臨床ツール用の例示的ユーザ・インターフェースを示す図５３（原ＦＩＧ．４８）を参照する。本例では、レファレンスである「抗生物質アシスタント」は、患者に関する関連情報を取得し、患者の必要に添った抗生物質を勧告する対話型プログラムの一例である。この勧告は第三者のプロバイダが行うものであってもよい。このリソースは本例ではポップアップ画面４８０１に示されている。
【０１０３】
図５４（原ＦＩＧ．４９）は、原ＦＩＧ．４７の臨床用ツールと関連して利用に供される電子相談サービス用の例示的ユーザ・インターフェースを示す図である。本例では、リソースであるＭＤ相談は医師向けに電子“診察（コンサルト）”を行うものであり、第三者プロバイダにより提供される。このリソースは本例ではポップアップ画面４９０１に示されている。また本例では、ツールバー１１１３は表示された状態のままで残っている。
【０１０４】
本発明の１または２以上の実施形態に係るオプションの登録と関連して利用に供されるユーザ登録および／または個人的優先情報の収集と関連して利用に供される例示的ユーザ・インタフェースを示す図５５（原ＦＩＧ．５０）を参照する。本例では、登録処理は、種々の連絡情報５００１と；専門分野の名称、診療種別、専門分野、免許の管轄および免許番号などのユーザ用専門情報５００３とを収集し、ユーザ名、パスワード、ヒント、および／または挨拶などのサイン・イン情報５００５を確定する。専門情報またはこの専門情報の一部はユーザの個人的な優先情報として利用することができる。
【０１０５】
原ＦＩＧ．５０のユーザ登録の終了と関連して利用に供される例示的ユーザ・インターフェース５１０１を示す図５６及び５７（原ＦＩＧ．５１）を参照する。種々の適切なメッセージを持つ種々のユーザ・インタフェースを設けて、首尾よく登録および／または確認をユーザに対して送信することができる。ここで、ユーザ・インタフェースによって、ユーザ登録成功情報５１０３、ユーザ認証失敗情報５１０５、認証再試行オプション５１０７、および／またはシステムからユーザへの他の任意のメッセージ５１０９があることが示される。
【０１０６】
図５８（原ＦＩＧ．５２）は、本発明の医療情報ポータルの１または２以上の実施形態に係る、未登録ユーザと関連して利用に供されるユーザ・インタフェースの一例を示す図である。このユーザ・インタフェースは、特定のリソースに必要となり得る登録および利用制限に関するメッセージ５２０１を含むものである。例示のように、リソースのなかには、例えば第三者プロバイダからの使用許諾条件によって利用制限が設けられているものがある場合もある。この制限は該第三者プロバイダの要件事項を反映している場合もあるし、本システムが、研修医勤務要件および／または免許要件などの種々のタイプの制限の調整を図る柔軟性を備えている場合もある。
【０１０７】
図５９（原ＦＩＧ．５３）は、本発明の医療情報ポータルの１または２以上の実施形態と関連して利用に供されるネットワーク・アーキテクチャの例示的ブロック図である。本例は、インターネット５３０５を介して外部のパートナーサイト５３０３およびアカマイ（Ａｋａｍａｉ）ネットワーク５３０１などからニュースをユーザ５３０７の元へ提供し、さらに、オプションの検索エンジン５３０９を提供する１つの実施態様を例示するものである。本発明の例示的実施形態に準拠するコンピュータ・システムには、ディーエムゼット（ＤＭＺ）ネットワーク５３２９、１または２以上のドットコム・ヘルスケア・インターネットページ５３１５、サーバ５３１７、ニュース・ジェイエスピー（ＪＳＰ）５３１９、オプションのウェブ・ログ５３２１、オプションのファイアウォール５３１１、オプションのロード・バランス５３１３、５３２５、および／またはオプションのエスキューエル（ＳＱＬ）プロキシが含まれる。オラクル・データベース５３３３、別のオプションのエスキューエル（ＳＱＬ）プロキシ５３３５、ユーザ・プロフィール５３３７、医師のカタログリスト５３３７、ニュース・データベース５３４１、および／またはアプリケーション・データベース５３４３を含む分散型データベースがネットワーク５３３１を介して提供される。
【０１０８】
ここで、ユーザ５３０７は本発明に基づくサイトのホームページにアクセスする。ニュース・ジェイエスピー（ＪＳＰ）５３１９はサーバ５３１７上のジャバ・ビーンズ（Ｊａｖａ  Ｂｅａｎｓ）と交信し、次いで、サーバ５３１７が、ユーザのプロフィール５３３７から該ユーザのカスタマイズされた優先情報を取得する。カスタマイゼーションが存在する場合、“ニュース・リンク”および関連する“シー・モア（Ｓｅｅ
Ｍｏｒｅ）”リンクなどの適切なヘッダが表示される。そうでない場合にはデフォルトの“ニュース・リンク”および関連する“シー・モア（Ｓｅｅ  Ｍｏｒｅ）”リンクが表示される。ユーザ５３０７が“ニュース・リンク”をクリックすると、ジェイエスピー（ＪＳＰ）５３１９はニュース・データベース５３４１から適切なニュースを検索する。ユーザが“シー・モア（Ｓｅｅ  Ｍｏｒｅ）”リンクをクリックすると、ジェイエスピー（ＪＳＰ）５３１９はＵＲＬパラメータを使用するジャバ・ビーン（Ｊａｖａ  Ｂｅａｎ）と交信し、このジャバ・ビーン（Ｊａｖａ  Ｂｅａｎ）は該データベースから“ニュース・リンク”を検索する。
【０１０９】
１または２以上の実施形態によれば、最新ニュース記事用のインターネット５３４９上でスクリーミング（screaming）メディア５３５１サーバのポーリングを行うためにパートナー・ネットワーク５３４７と接続しているニュース検索用ワークステーション５３４５によって例示アーキテクチャがニュースを取得する。これらのニュース記事はパートナー・ネットワーク５３４７などを介してニュース検索ワークステーション５３４５へダウンロードされ、そこでこれらのニュース記事はニュース・データベース５３４１の中へロードされる。
【０１１０】
要求を行うユーザと関連して、ユーザのプロフィールがチェックされる。図５３の例示アーキテクチャでは、ユーザ５３０７は要求を行う。これが新しいセッションであり、かつ、ユーザ局がユーザを特定するリメンバミー・クッキーを含まなければ、デフォルトのプロフィールが中にロードされ、リメンバミー・クッキーを含んでいる場合には、リメンバミー・クッキーを利用してユーザ・カスタマイゼーションがロードされる。本ジェイエスピー（ＪＳＰ）アプリケーションはプロフィール５３３７からのユーザ情報の読み出し／記憶を行う。
【０１１１】
図６０（原ＦＩＧ．５４）は、本発明の医療情報ポータルの１または２以上の実施形態に係る、一般にツール・アクセスに関連する例示的制御処理の流れを示すフローチャートである。一般的ツール・アクセス５４０１は、ユーザがステップ５４０３でツールへのアクセスを要求したことを検出するまでループする。次いで、本システムはス鉄扉５４０５で、この要求されたツールが制限を受けるものであるかどうかを決定する。もし制限をうけるものである場合には、システムはステップ５４０７で、ユーザ制限のタイプを、例えば、リソースが、医師（内科医（Ｍ．Ｄ．）、整骨治療医（Ｄ．Ｏ．））であるユーザに利用が制限されている場合、などを決定する。もし、このユーザが選択したリソースへアクセスすることを許可されたタイプのユーザでなければ（ステップ５４０９）、アクセスは終了する（ステップ５４１９）。一方、該ユーザがアクセスを許可されていれば、要求されたツールが特別のキー、ＩＤ、インストールされたプログラム、あるいは別の追加リソースを実行のために必要とするかどうかの判定がシステムによって行われる（ステップ５４１１）。上記リソースが必要という判定がされれば、本システムは当該必要な特別のキー、プログラムなどを自動的に検出し、これら必要な追加リソースをインストールする（ステップ５４１３）。そうでない場合には必要な追加リソースを提供する。次いで、本システムは、例えば、ローカルに要求されたあるいはインターネットを介して要求されたツールまたはリソースを実行したり、或いは該要求されたツールまたはリソースにアクセスしたりする（ステップ５４１５）。最後に、一般ツールがアクセスを終了する（ステップ５４１７）。
【０１１２】
本発明の医療情報ポータルの１または２以上の実施形態に係る、ツール表示５５０１一般のための例示的フローチャートを示す図６１（原ＦＩＧ．５５）を参照する。ひとたび１組のツールがそのコンポーネントを表示する必要とされれば（ステップ５５０３）、本システムは現在のツールが専門分野用ツールであるかどうかの判定を行う。もしそうであれば、本システムはツールが専門分野を有するかどうかのチェック、および、ユーザ・プロフィールのチェックを行うことにより、ツールがユーザのいずれかの専門分野に対応するかどうかの判定を行う（ステップ５５０５）。上記ツールが専門分野のツールではあるが、ユーザの専門分野のいずれにも対応しなければ、ツールは表示されずに、システムは別のツールがその組のツールの中に存在するかどうかのチェックへ進み（ステップ５５１７）、該ツールセット内の次のツールを取得し（ステップ５５１９）、ループのトップへ戻る。一方、ツールが表示された場合、本システムは、ツールがシステム索引により参照されるものであるかどうかのチェックを行う（ステップ５５０７）。参照されるものであれば、本システムはツール・レファレンス（リンクなど）、並びに、中に含まれているか、或いは索引を介してアクセス可能な、ツールに関連するいずれかの梗概または要旨を取得する（ステップ５５０９）。本システムは次に、リンク、並びに、該ツールに関連するいずれかの梗概または要旨などのツール・レファレンスを表示する（ステップ５５１１）。本システムはさらに、該ツールへのアクセスに利用制限が設けられているかどうかのチェックを行う（ステップ５５１３）。もし制限が設けられていれば、本システムは、ツールへのアクセスに利用制限が設けられている旨の指示をユーザに対して表示する（ステップ５５１５）。次いで、本システムは現在のツール・グループに別のツールが存在するかどうかの判定を行い（ステップ５５１７）、もし存在するならば、該ツール・グループ内の次のツールを取得し（ステップ５５１９）、ループのトップへ戻る。存在しなければ、一般ツール表示は終了する（ステップ５５２１）。
【０１１３】
図６２（原ＦＩＧ．５６）は、本発明の医療情報ポータルの１または２以上の実施形態に係るユーザ登録制御処理の流れの一例を示すフローチャートである。ユーザが登録リンク５６０１を選択すると、登録リンク・ジェイエスピー（ＪＳＰ）５６０７が開始する。本システムはユーザがログインしたかどうかのチェックを行う（ステップ５６０３）。ログインしていなければ、本システムは登録処理（ステップ５６０５）へ進み、登録ページを表示し（ステップ５６１１）、登録ジェイエスピー（ＪＳＰ）を開始する（ステップ５６１３）。もしユーザが新しく登録された新規のユーザ（ステップ５６１９）でなければ、本システムはユーザ登録が有効かどうかのチェックを行う（ステップ５６２３）。もしユーザ登録が有効でなければ、登録再試行ページが表示され（ステップ５６２９）、登録再試行ジェイエスピー（ＪＳＰ）が開始される（ステップ５６３３）。もしユーザがログインしていれば、本システムはユーザのプロフィールを更新し（ステップ５６０９）、更新プロフィール・ジェイエスピー（ＪＳＰ）を開始する（ステップ５６１５）。もし該登録ユーザのアクセス資格の有効性が確認されれば、あるいは、該ユーザがすでにログインしていれば、本システムはプロフィール・ページを更新する（ステップ５６１７）。次に本システムは該プロフィールを更新し（ステップ５６２５）、オラクル・データベースなどのデータベース５６２１に情報を格納する。もし新規ユーザ・プロフィールのアクセス資格の有効性が認証されれば（ステップ５６２７）、ユーザは登録リンク表示（ステップ５６０１）へ戻り、新規ユーザ・プロフィールのアクセス資格の有効性が認証されなければ、更新プロフィールおよび再試行ページが表示され（ステップ５６３１）、ユーザはプロフィールの更新（ステップ５６２５）を再度試みることができる。
【０１１４】
図６３（原ＦＩＧ．５７）は、本発明の医療情報ポータルの１または２以上の実施形態に係る、登録ユーザのアクセス資格の有効性を認証するためのカスケード型（滝形状）のフロー５７０１の一例を示すフローチャートである。登録及び認証のために、本システムは、ユーザが内科医／整骨治療医であるかどうかに関してユーザ・プロフィールのチェックを行う（ステップ５７０３）。ユーザが内科医でも整骨治療医でもなければ、システムは適切な“サンキュー”（＃１）を表示し（ステップ５７０５）、該ユーザはホームページに戻って利用を開始する（ステップ５７１１）ことができる。あるいは、自分のプロフィールをさらにカスタマイズすることができる（ステップ５７０９）。該ユーザが内科医もしくは整骨治療医であれば、システムは該アクセス資格が有効かどうかの確認チェックを行う（ステップ５７０７）。該アクセス資格が有効であれば、システムは適切な“サンキュー”を表示して、ユーザが登録済みであり、ユーザのアクセス資格の有効性が認証された旨の通知などを行う（ステップ５７１５）。次いで、ユーザはシステムの利用を開始し、ホームページへ戻る（ステップ５７２３）ことができる。或いは、ユーザは自分のプロフィールをさらにカスタマイズすることができる（ステップ５７３９）。内科医／整骨治療医たるユーザのアクセス資格の有効性が確認されなかった場合、システムは適切な“サンキュー”を表示して、ユーザが登録済みユーザではあるが、該ユーザのアクセス資格の有効性が認証されなかった旨の通知を行う（ステップ５７１３）。ユーザは後でユーザのアクセス資格を認証して、ホームページへ戻る（ステップ５７５７）ことが可能であり、さらに自分のプロフィールをカスタマイズし（ステップ５７１９）、あるいは情報を再入力して、アクセス資格の認証をもう一度試行する（ステップ５７２１）ことが可能である。該再入力した情報によってユーザのアクセス資格が認証された場合、適切な“サンキュー”が表示され（ステップ５７２９）、次いでユーザはシステムの利用を開始してホームページへ戻る（ステップ５７３５）か、自分のプロフィールをさらにカスタマイズする（ステップ５７３９）かのいずれかを行うことができる。この再入力情報によっても第２の試みの後依然としてユーザのアクセス資格が認証されなかった場合、ユーザはその旨の通知を受け（ステップ５７２７）、その後ユーザのアクセス資格が認証され、ホームページへ戻ることができる（ステップ５７３３）。あるいは再入力を行って、３度目のアクセス資格の認証を試行する（ステップ５７３１）ことができる。この３度目でアクセス資格の認証がされた（ステップ５７３７）場合、ユーザのアクセス資格の認証がされた旨の通知を行う適切な“サンキュー”が表示され（ステップ５７４３）、ユーザはカスタマイズを行ったり（ステップ５７３９）、ホームページへ戻ったりする（ステップ５７４７）ことができる。ユーザがアクセス資格の認証をうけるのに３度目も失敗した場合（ステップ５７４１）、ユーザは、システムがアクセス資格を認証できなかった旨の通知を受け、ユーザはシステムの利用を開始する（ステップ５７４５）か、ユーザのプロフィールをカスタマイズする（ステップ５７３９）かのいずれかを行うことができる。
【０１１５】
図６４（原ＦＩＧ．５８）は、本発明の医療情報ポータルの１または２以上の実施形態に係る、利用制限が設けられたリソースにユーザがアクセスを試みるための、カスケード型（滝形状）のフロー５８０１の一例を示すフローチャートである。利用制限が設けられたリソースにユーザがアクセスを試みる（ステップ５８０３）場合、システムは、ユーザがサイン・インを行ったかどうかのチェックを行う（ステップ５８０５）。ユーザがサイン・インを行っていなかった場合、該ユーザは、サイン・インを行うか、登録を完了するように指示される。ユーザがサイン・インを行っていた場合、システムは該ユーザが、ハリソンのオンラインなどの第１の制限レベルで、リソースにアクセスしているかどうかのチェックを行う（ステップ５８０９）。ここでリソースにアクセスしていれば、本システムはユーザの情報が医学生、登録看護婦（ＲＮ）、有資格開業看護婦（ＬＰＮ）、看護治療士などの第１の制限レベルの要件を満たしているかどうかのチェックを行う（ステップ５８１３）。この制限を確かに満たしていれば、リソースへのアクセスが与えられ（ステップ５８１９）、満たしていなければ、エラー・ページが表示される（５８２１）。
【０１１６】
本システムは、ユーザが医師レベルのリソースなどの第２制限レベルのリソースにアクセスしているかどうかのチェックを行う（ステップ５８１１）。ユーザが医師（内科医または整骨治療医）でなければ（ステップ５８１７）、利用制限の無いリソースがリストされる（ステップ５８２３）。該ユーザが医師であれば、本システムはユーザのアクセス資格が有効かどうかのチェックを行う（ステップ５８２５）。該ユーザが医師でなければ（ステップ５８１７）、適切なメッセージが表示される（ステップ５８２３）。利用が医師に限定されているリソースにアクセスを試みているユーザのアクセス資格が認証をうけられなければ、本システムは適切な表示を行い（ステップ５８２７）、該ユーザは後でユーザのアクセス資格の有効性を確認して、ホームページへ戻る（ステップ５８３１）か、免許情報を入力する（ステップ５８３３）かのいずれかを行うことができる。
【０１１７】
この例示の実施形態によれば、２回までの入力（あるいは再入力）の試行（ステップ５８３３、５８４３）が行われ、免許情報の認証が行われる（ステップ５８３５、５８４７）。ユーザのアクセス資格が認証をうけられなければ、適切なメッセージが表示され（ステップ５８４９）、ユーザはホームページへ戻される（ステップ５８５３）。ユーザのアクセス資格が認証をうけられれば、適切な“サンキュー”表示がされ（ステップ５８３９、５８５１）、利用制限が設けられた要求リソースへのアクセスが与えられる（ステップ５８４５、５８５５）。ユーザが、ハリソンのオンラインや利用が医師に制限されたリソースなどにアクセスしていなければ、該リソースが表示される（ステップ５８１５）。
【０１１８】
機能またはリソースの論理的なグループ化と関連して本発明の説明を行っていることを理解されたい。これら論理的グループ化のうちの１または２以上は、１または２以上の実施形態から省かれる場合もあるが、それでも、本発明の権利範囲内に属するものである。同様に、本発明の権利範囲から逸脱することなく、機能についても違った形でのグループ化、組み合わせ、あるいは拡張を行うことが可能である。同様に、本発明の説明は種々のデータベースやデータ及び情報の収集についての説明とすることも可能である。本発明の範囲から逸脱することなく、データまたは情報の１または２以上のグループの省略、分散、組み合わせあるいは拡張を行ったり、あるいはローカルにおよび／または遠隔地で上記グループを提供したりすることも可能である。
【０１１９】
ユーザは、医師またはその他のヘルスケアに携わる専門家もしくは医療分野の学生であってもよい。これらユーザのうちの若干は、ある特定の分野での開業に関して使用許諾を受けることが可能であり、免許は検証可能なものとすることができる。本システムは、高品質のヘルスケア関連リソースに対する拡張されたオンライン・アクセスをユーザに提供することができる。本システムは、ヘルスケアに携わる専門家の業務スケジュールおよび地域的制約条件に関らず、彼らの治療実務に関連する情報及びサービスにアクセスする実際的方法を見つけるのに制約があるヘルスケア専門家の変動するニーズに応じることができる。さらに、本発明はこのような情報への切れ目のないアクセスの提供を意図するものである。
【０１２０】
図６５（原ＦＩＧ．５９）は、本発明を、コンピュータにより実用化する実施形態に準拠するコンピュータ処理を実現するのに使用されるコンピュータ５８の一例を示す図である。上述の処理手順は、例えば、コンピュータまたはコンピュータ・ネットワーク上で実行されるプログラム手順という観点から提供されるものであってもよい。
【０１２１】
原ＦＩＧ．５９で外部から見た場合のコンピュータ５８は、ディスク・ドライブ６９、７０を備えた中央演算処理装置（ＣＰＵ）６８を有する。ディスク・ドライブ６９、７０は、コンピュータ５８に収容され得る複数のディスク・ドライブを示す単なる記号である。一般に、これらのディスク・ドライブは１または２以上の以下のディスク・ドライブであってもよい：フロッピーディスク・ドライブ６９、ハードディスク・ドライブ（図示せず）、およびスロット７０で示されるようなＣＤ―ＲＯＭもしくはデジタル・ビデオ・ディスク。ディスク・ドライブの数と種別は一般に、異なるコンピュータ構成に伴って変動する。ディスク・ドライブ６９、７０は実際のところはオプションであり、空間上の配慮から、本明細書に記載の処理と連係して用いられるコンピュータ・システムから省いてもよい。
【０１２２】
コンピュータ５８は情報の表示が可能な表示部７１も備える。この表示部は本明細書に記載のシステムと連係して用いられるコンピュータにとってオプションである。中央演算処理装置６８とのインターフェースをとる入力用デバイスとして、キーボード７２および／またはマウス７３などのポインティング・デバイス７３を設けることができる。入力効率を上げるために、キーボード７２にスキャナ、カードリーダまたは別のデータ入力装置を補足したり、またはキーボード７２をこれらで置き換えたりしてもよい。ポインティング・デバイス７３はマウス、タッチパッド制御装置、トラックボール装置あるいは他の任意のタイプのポインティング・デバイスであってもよい。
【０１２３】
或いは、図６７（原ＦＩＧ．６１）を参照すると、コンピュータ５８は、ＣＤ―ＲＯＭリーダ９５及びＣＤレコーダ９６をも備えるものであってもよい。これらＣＤ―ＲＯＭリーダ９５及びＣＤレコーダ９６は、バス構造及びプロトコルによりサポートされる別の周辺装置９８と共にバス９７によって相互に接続される。バス９７はコンピュータの別の構成要素を相互に接続する主要情報ハイウェイとして機能する。バス９７はインターフェース９９を介してコンピュータ５８と接続される。
【０１２４】
図６６（原ＦＩＧ．６０）は、原ＦＩＧ．５９のコンピュータの内部ハードウェアのブロック図である。ＣＰＵ７５は、プログラムの実行に必要な計算及び論理演算を実行する、システムの中央演算処理装置である。リード・オンリ・メモリ（ＲＯＭ）７６とランダム・アクセス・メモリ（ＲＡＭ）７７とはコンピュータのメインメモリを構成する。ディスク・コントローラ７８は１または２以上のディスクドライブとシステムバス７４とのインタフェースを司る。これらのディスク・ドライブは、フロッピーディスク・ドライブ７９や、ＣＤ―ＲＯＭもしくはＤＶＤ（デジタル・ビデオ／多用途ディスク）ドライブ８０、或いは内蔵または外付ハードディスク・ドライブ８１であってもよい。前に示したように、これらの種々のディスク・ドライブとディスク・コントローラはオプションの装置である。
【０１２５】
表示用インタフェース８２は、バス７４からの情報を表示部８３に表示させることを可能にするものである。再言するが、図示のように、表示部８３は、赤外線受信機８８および送信機８９の場合のような、通信ネットワーク中の中央コンピュータ用或いは遠隔地コンピュータ用のオプションの付属部品である。外部装置との通信は通信ポート８４を用いて行われる。
【０１２６】
コンピュータの標準的構成要素に加えて、コンピュータは、キーボード８６やマウス８７などのポインティング・デバイスを介するデータ入力を許容するインターフェース８５を備えることも可能である。
【０１２７】
上述の詳細な説明には多数の具体的な詳細が含まれる。このような詳細情報を含んで説明を行うのは、専ら例示を目的とするものであり、本発明を限定するものと理解されるべきではない。さらに、１つの実施形態における特徴を本発明に係る別の実施形態における特徴と組み合わせることができる。後述の特許請求の範囲に定義されているような本発明の権利範囲から逸脱することなく、種々の変更がなされ得る。
【０１２８】
一例として、本医療情報ポータル・システムは、汎用コンピュータ、または特にプログラムされた専用コンピュータを含むものであってもよい。ユーザは、パーソナル・コンピュータなどを介して、あるいは、インターネット、イントラネットなどのＰＤＡを介して、医療情報ポータル・システムと相互に交信を行うことができる。これらコンピュータのいずれかは、単一コンピュータではなく、分散型コンピュータ・システムとして実現可能である。同様に、通信リンクは、専用リンク、ＰＯＴＳ回線上のモデム、および／またはコンピュータおよび／またはユーザ間での他の任意の通信方法であってよい。さらに、この処理は、１または２以上のコンピュータ・システムまたはプロセッサ上のソフトウェア・プログラムにより制御することも可能である。あるいは、部分的に或いは全体的にハードウェア中で実行されるようにすることさえ可能である。
【０１２９】
ユーザ・インタフェースはＨＴＭＬ表示フォーマットと関連して開発されたものであってもよい。図示の例においては、ＨＴＭＬが利用されているが、情報を表示し、ユーザ命令を取得し、ユーザ・インタフェースを設けるための別の技術の利用も可能である。以上、特定の諸例と関連して本発明についての説明を行った。しかし、本発明の原理は等しく別の例および／または実現態様に対しても適用可能である。当然のことであるが、関連するデータは適当に異なるものであってもよい。
【０１３０】
さらに、或る実施例においては、あたかも単一ユーザに対して利用可能とされるかのように本発明を説明した。しかし本発明は、どの実施例であれ、所望であれば多数のユーザが利用することも可能である。本発明と関連して利用に供される医療情報ポータル・システムは、適切な場合および／または所望の場合のように、ハードウェアおよびソフトウェア・サーバ、データベース・エンジン、および／またはＣＥコンテンツ・プロバイダを含む種々の構成要素の統合化に依拠するものであってもよい。この構成は好適には、ユーザとの主要インタフェースとしてインターネットを利用するネットワークベースのものであることが望ましい。
【０１３１】
本医療情報ポータル・システムは、収集情報および／または情報に対する索引をデータベースに格納することができる。標準的サーバ、例えば、小型のサン・スパルク（Ｓｕｎ（商標）  Ｓｐａｒｃ（商標））や別の遠隔設置サーバ上に適当なデータベースを搭載することができる。例えば、オプションとして、ＵＮＩＸベースとできるプラットフォーム上に情報を格納してもよい。これら種々のデータベースは、例えば、ＵＮＩＸフォーマットのものであってもよいが、他の標準的なデータ・フォーマットを用いることも可能である。
【０１３２】
図３のコンピュータ・システムは単一のコンピュータを有するものとして例示されているが、本医療情報ポータル・システムはオプションとして、多数のプロセッサもしくは記憶装置またはこれらの組み合わせを適切に装備するようにしてもよい。例えば、本コンピュータは、本発明の実施形態における諸原理に基づいて作動する任意の適切な処理システムと置き換えたり、組み合わせたりすることが可能であり、高度に洗練された計算機、ハンドヘルド型コンピュータ、ラップトップ型／ノートブック型コンピュータ、ミニコンピュータ、メインフレーム・コンピュータおよびスーパ・コンピュータ、並びに、同コンピュータから成る処理システム・ネットワークの組み合わせが含まれる。さらに、このシステムの一部は、例えば、電気信号として通信回線を介して提供される任意の適切な電子フォーマットの形式で提供されるものでもよいし、フロッピーディスク上で供給されるもの、ＣＤ―ＲＯＭで供給されるもの、光ディスク・メモリなどで供給されるものであってもよい。
【０１３３】
現在利用可能なまたは将来開発されるコンピュータ・ソフトウェア言語および／またはハードウェア部品を本発明の上記実施形態において採用することが可能である。例えば、ビジュアル・ベーシック（商標）、Ｃ（商標）、Ｃ＋＋（商標）、あるいは使用されるプロセッサに照らして適切な任意のアセンブリ言語を用いて上述の機能のうちの少なくともいくつかの機能を実現することが可能である。Ｊａｖａ（商標）などのインタプリタ（言語）環境で本発明に係る機能を書くことも、種々のユーザへの複数の宛先へこの機能をトランスポートすることも可能である。
【０１３４】
本発明の実施形態の多くの特徴と利点は、上述の詳細な説明から明らかである。したがって、添付の請求項に記載された発明は、本発明の真の精神及び範囲に属する本発明のこのような特徴と利点のすべてをカバーすることを意図している。さらに、多数の修正及び変形が当業者に容易に想起されるから、上記例示し、記載したものそのままの厳格な構成及び処理手順に本発明を限定することは望ましくない。したがって、すべての適切な修正および均等物は本発明の範囲に属するものとすることができる。
【産業上の利用可能性】
【０１３５】
本発明によって、さらにターゲットが絞られ、さらに効率のよい、許可ベースのものにすることも可能な、医師およびその他のヘルスケアプロバイダへの情報提供が可能となる。本発明によれば、医師がより良い治療を施すのに役立つタイムリで適正な情報の取得を補助し、支援することが可能となる。本発明の態様に準拠するシステムによれば、適正なフォーマットで正しい情報が提供される。システムは情報の適切なフィルタリングも行う。本発明が医師へ提供する別の永続的価値として１つのサイトにおけるリソースの集成（aggregation）がある。本発明によれば、医師をターゲットとする情報配信のきわめて簡単な方法を提供し、医師が新しい情報により容易に触れることが可能になる。本発明は医師と患者とに同時に利益をもたらす最善の治療を促進する。
【図面の簡単な説明】
【０１３６】
【図１】従来技術に係る診断治療およびアドバイスシステムに関するソフトウェアの概念図である（原ＦＩＧ．１）。
【図２】従来技術による医療文献探索システムのためのユーザ検索用インタフェースの一例を示す図である（原ＦＩＧ．２）。
【図３】本発明の１または２以上の実施形態に係る、ヘルスケア関連リソースをユーザに提供するための医療情報ポータルの一例を示す機能ブロック図である（原ＦＩＧ．３）。
【図４】本発明に係る医療情報ポータルの１または２以上の実施形態のための診断用ツールの一例を示す機能ブロック図である（原ＦＩＧ．４）。
【図５】本発明に係る医療情報ポータルの１または２以上の実施形態のための学習用ツールの一例を示す機能ブロック図である（原ＦＩＧ．５）。
【図６】本発明に係る医療情報ポータルの１または２以上の実施形態のための患者用ツールの一例を示す機能ブロック図である（原ＦＩＧ．６）。
【図７】本発明に係る医療情報ポータルの１または２以上の実施形態のためのヘルスケア関連テクノロジ用ツールの一例を示す機能ブロック図である（原ＦＩＧ．７）。
【図８】本発明に係る医療情報ポータルの１または２以上の実施形態のための医療関連ニュース用ツールの一例を示す機能ブロック図である（原ＦＩＧ．８）。
【図９】本発明に係る医療情報ポータルの１または２以上の実施形態のための電子アシスタントの機能ブロック図である（原ＦＩＧ．９）。
【図１０】本発明に係る医療情報ポータルの１または２以上の実施形態のためのツールバーの機能ブロック図である（原ＦＩＧ．１０）。
【図１１】本発明に係る医療情報ポータルの１または２以上の実施形態のための、オプションで医療関連ニュース用ツールを備える、ホームページを示すイグゼンプラリ（例示的）ユーザ・インターフェースを示す図である（原ＦＩＧ．１１）。
【図１２】本願の医療関連ニュース用ツールの１または２以上の実施形態のための最新の医療関連定期刊行文献用のイグゼンプラリ（例示的）ユーザ・インターフェースを示す図である（原ＦＩＧ．１２）。
【図１３】本願の医療関連ニュース用ツールの１または２以上の実施形態のための情報通知用のイグゼンプラリ（例示的）ユーザ・インターフェースを示す図である（原ＦＩＧ．１３）。
【図１４】本願の医療関連ニュース用ツールの１または２以上の実施形態のための専門的ニュース用のイグゼンプラリ（例示的）ユーザ・インターフェースを示す図である（原ＦＩＧ．１４）。
【図１５】本願の医療関連ニュース用ツールの１または２以上の実施形態のための専門的ニュース用のイグゼンプラリ（例示的）ユーザ・インターフェースを示す図である（原ＦＩＧ．１５）。
【図１６】本願の医療関連ニュース用ツールの１または２以上の実施形態のための消費者向けニュース用のイグゼンプラリ（例示的）ユーザ・インターフェースを示す図である（原ＦＩＧ．１６）。
【図１７】本発明に係る医療情報ポータルの１または２以上の実施形態のための診断用ツール用のイグゼンプラリ（例示的）ユーザ・インターフェースを示す図である（原ＦＩＧ．１７Ａ）。
【図１８】本発明に係る医療情報ポータルの１または２以上の実施形態のための診断用ツール用のイグゼンプラリ（例示的）ユーザ・インターフェースを示す図である（原ＦＩＧ．１７Ｂ）。
【図１９】原ＦＩＧ．１７の診断用ツールと関連して利用に供される医学参考文献用のイグゼンプラリ（例示的）ユーザ・インターフェースを示す図である（原ＦＩＧ．１８）。
【図２０】原ＦＩＧ．１７の診断用ツールと関連して利用に供される疾患診断サービス用のイグゼンプラリ（例示的）ユーザ・インターフェースを示す図である（原ＦＩＧ．１９）。
【図２１】原ＦＩＧ．１９の疾患診断サービス用のイグゼンプラリ（例示的）ユーザ・インターフェースを示す図である（原ＦＩＧ．２０）。
【図２２】原ＦＩＧ．１９の疾患診断サービス用のイグゼンプラリ（例示的）ユーザ・インターフェースを示す図である（原ＦＩＧ．２１）。
【図２３】原ＦＩＧ．１７の診断用ツールと関連して利用に供される臨床治療ガイドライン情報交換機関用のイグゼンプラリ（例示的）ユーザ・インターフェースを示す図である（原ＦＩＧ．２２）。
【図２４】原ＦＩＧ．１７の診断用ツールと関連して利用に供される別の医学参考文献用のイグゼンプラリ（例示的）ユーザ・インターフェースを示す図である（原ＦＩＧ．２３）。
【図２５】原ＦＩＧ．１７の診断用ツールと関連して利用に供される医学教科書用のイグゼンプラリ（例示的）ユーザ・インターフェースを示す図である（原ＦＩＧ．２４）。
【図２６】原ＦＩＧ．１７の診断用ツールと関連して利用に供される疾患モジュール用のイグゼンプラリ（例示的）ユーザ・インターフェースを示す図である（原ＦＩＧ．２５）。
【図２７】原ＦＩＧ．１７の診断用ツールと関連して利用に供される１組の医学参考文献用のイグゼンプラリ（例示的）ユーザ・インターフェースを示す図である（原ＦＩＧ．２６Ａ）。
【図２８】原ＦＩＧ．１７の診断用ツールと関連して利用に供される１組の医学参考文献用のイグゼンプラリ（例示的）ユーザ・インターフェースを示す図である（原ＦＩＧ．２６Ｂ）。
【図２９】原ＦＩＧ．２６の医学参考文献と関連して利用に供される医学ウェブサイト・ライブラリ用のイグゼンプラリ（例示的）ユーザ・インターフェースを示す図である（原ＦＩＧ．２７）。
【図３０】原ＦＩＧ．２６の医学参考文献と関連して利用に供される医学データベース用のイグゼンプラリ（例示的）ユーザ・インターフェースを示す図である（原ＦＩＧ．２８）。
【図３１】本発明に係る医療情報ポータルの１または２以上の実施形態のための学習用ツール用のイグゼンプラリ（例示的）ユーザ・インターフェースを示す図である（原ＦＩＧ．２９Ａ）。
【図３２】本発明に係る医療情報ポータルの１または２以上の実施形態のための学習用ツール用のイグゼンプラリ（例示的）ユーザ・インターフェースを示す図である（原ＦＩＧ．２９Ｂ）。
【図３３】原ＦＩＧ．２９の学習用ツールと関連して利用に供されるユーザ・プロフィール用のイグゼンプラリ（例示的）ユーザ・インターフェースを示す図である（原ＦＩＧ．３０）。
【図３４】原ＦＩＧ．２９の学習用ツールと関連して利用に供される講義資料およびプレゼンテーション用のイグゼンプラリ（例示的）ユーザ・インターフェースを示す図である（原ＦＩＧ．３１）。
【図３５】原ＦＩＧ．３１の講義資料およびプレゼンテーションと関連して利用に供される内科医学スライドおよびダイアグラムの標準的参考文献用のイグゼンプラリ（例示的）ユーザ・インターフェースを示す図である（原ＦＩＧ．３２）。
【図３６】原ＦＩＧ．３１の講義資料およびプレゼンテーションと関連して利用に供されるスライド画像バンク用のイグゼンプラリ（例示的）ユーザ・インターフェースを示す図である（原ＦＩＧ．３３）。
【図３７】本発明に係る医療情報ポータルの１または２以上の実施形態のための患者用ツール用のイグゼンプラリ（例示的）ユーザ・インターフェースを示す図である（原ＦＩＧ．３４Ａ）。
【図３８】本発明に係る医療情報ポータルの１または２以上の実施形態のための患者用ツール用のイグゼンプラリ（例示的）ユーザ・インターフェースを示す図である（原ＦＩＧ．３４Ｂ）。
【図３９】原ＦＩＧ．３４の患者用ツールと関連して利用に供される、患者がメディア中で着眼するものに関する情報用のイグゼンプラリ（例示的）ユーザ・インターフェースを示す図である（原ＦＩＧ．３５）。
【図４０】原ＦＩＧ．３４の患者用ツールと関連して利用に供される、患者がメディア中で着眼するものに関する情報用の別の一例を示すイグゼンプラリ（例示的）ユーザ・インターフェースを示す図である（原ＦＩＧ．３６）。
【図４１】原ＦＩＧ．３４の患者用ツールと関連して利用に供される患者向け配布（印刷）物用のイグゼンプラリ（例示的）ユーザ・インターフェースを示す図である（原ＦＩＧ．３７）。
【図４２】原ＦＩＧ．３４の患者用ツールと関連して利用に供される臨床試験情報用のイグゼンプラリ（例示的）ユーザ・インターフェースを示す図である（原ＦＩＧ．３８）。
【図４３】本発明に係る医療情報ポータルの１または２以上の実施形態で使用されるヘルスケア関連テクノロジ用ツール用のイグゼンプラリ（例示的）ユーザ・インターフェースを示す図である（原ＦＩＧ．３９Ａ）。
【図４４】本発明に係る医療情報ポータルの１または２以上の実施形態で使用されるヘルスケア関連テクノロジ用ツール用のイグゼンプラリ（例示的）ユーザ・インターフェースを示す図である（原ＦＩＧ．３９Ｂ）。
【図４５】原ＦＩＧ．３９のテクノロジ用ツールと関連して利用に供されるヘルスケア関連テクノロジ問合せサービス用のイグゼンプラリ（例示的）ユーザ・インターフェースを示す図である（原ＦＩＧ．４０）。
【図４６】原ＦＩＧ．３９のテクノロジ用ツールと関連して利用に供されるヘルスケア関連テクノロジ査定サービス用のイグゼンプラリ（例示的）ユーザ・インターフェースを示す図である（原ＦＩＧ．４１）。
【図４７】本発明に係る医療情報ポータルの１または２以上の実施形態と関連して利用に供される、電子支援ツール用のイグゼンプラリ（例示的）ユーザ・インターフェースを示す図である（原ＦＩＧ．４２）。
【図４８】原ＦＩＧ．４２の電子支援ツールと関連して利用に供される医療用技術のためのオンライン・ショッピングへのアクセス用のイグゼンプラリ（例示的）ユーザ・インターフェースを示す図である（原ＦＩＧ．４３）。
【図４９】原ＦＩＧ．４２の電子支援ツールと関連して利用に供されるオンラインおよび／またはＰＤＡで利用可能なリソースへのアクセス用のイグゼンプラリ（例示的）ユーザ・インターフェースを示す図である（原ＦＩＧ．４４）。
【図５０】本発明に係る１または２以上の実施形態におけるツールバーなどと関連して利用に供される所定のサイト検索のための例示的検索結果用のイグゼンプラリ（例示的）ユーザ・インターフェースを示す図である（原ＦＩＧ．４５）。
【図５１】本発明に係る１または２以上の実施形態におけるツールバーなどと関連して利用に供されるユーザ規定の検索のための例示的検索結果用のイグゼンプラリ（例示的）ユーザ・インターフェースを示す図である（原ＦＩＧ．４６）。
【図５２】本発明に係る医療情報ポータルの１または２以上の実施形態におけるツールバーなどと関連して利用に供される臨床用ツール用のイグゼンプラリ（例示的）ユーザ・インターフェースを示す図である（原ＦＩＧ．４７）。
【図５３】原ＦＩＧ．４７の臨床用ツールと関連して利用に供される意思決定支援ソフトウェア臨床用ツールのイグゼンプラリ（例示的）ユーザ・インターフェースを示す図である（原ＦＩＧ．４８）。
【図５４】原ＦＩＧ．４７の臨床用ツールと関連して利用に供される電子相談サービス用のイグゼンプラリ（例示的）ユーザ・インターフェースを示す図である（原ＦＩＧ．４９）。
【図５５】ユーザ登録および／または個人的優先情報の収集に関連して利用に供され、本発明に係る医療情報ポータルの１または２以上の実施形態と関連して利用に供されるイグゼンプラリ（例示的）ユーザ・インターフェースを示す図である（原ＦＩＧ．５０）。
【図５６】原ＦＩＧ．５０のユーザ登録の完了と関連して利用に供されるイグゼンプラリ（例示的）ユーザ・インターフェースを示す図である（原ＦＩＧ．５１Ａ）。
【図５７】原ＦＩＧ．５０のユーザ登録の完了と関連して利用に供されるイグゼンプラリ（例示的）ユーザ・インターフェースを示す図である（原ＦＩＧ．５１Ｂ）。
【図５８】本発明に係る医療情報ポータルの１または２以上の実施形態における、未登録ユーザと関連して利用に供されるイグゼンプラリ（例示的）ユーザ・インターフェースを示す図である（原ＦＩＧ．５２）。
【図５９】本発明に係る医療情報ポータルの１または２以上の実施形態と関連して利用に供されるネットワーク・アーキテクチャのイグゼンプラリ（例示的）ブロック図である（原ＦＩＧ．５３）。
【図６０】本発明に係る医療情報ポータルの１または２以上の実施形態における、ツールアクセス一般のための制御の流れの一例を示すフローチャートである（原ＦＩＧ．５４）。
【図６１】本発明に係る医療情報ポータルの１または２以上の実施形態における、ツール表示一般のための制御の流れの一例を示すフローチャートである（原ＦＩＧ．５５）。
【図６２】本発明に係る医療情報ポータルの１または２以上の実施形態における、ユーザ登録のための制御の流れの一例を示すフローチャートである（原ＦＩＧ．５６）。
【図６３】本発明に係る医療情報ポータルの１または２以上の実施形態における、登録ユーザのアクセス資格を認証するための手順の流れの連続の一例を示すフローチャートである（原ＦＩＧ．５７）。
【図６４】本発明に係る医療情報ポータルの１または２以上の実施形態における、利用制限が設けられたリソースにユーザがアクセスを試みるための、手順の流れの連続の一例を示すフローチャートである（原ＦＩＧ．５８）。
【図６５】本願のコンピュータを実装した実施形態に係る医療情報ポータル・システムの１または２以上の実施形態を実現するために利用に供されるコンピュータのブロック図である（原ＦＩＧ．５９）。
【図６６】原ＦＩＧ．５９のコンピュータの内部ハードウェアのブロック図である（原ＦＩＧ．６０）。
【図６７】本発明を実施するのに適した種類の他のコンピュータのブロック図である（原ＦＩＧ．６１）。
【符号の説明】
【０１３７】
３００      サイン・インおよび／または登録
３０２      アクセスリソース
３０５      疾患研究のための診断用ツール
３０７      専門分野における自己開発用学習ツール
３０９      患者用リソースのための患者用ツール
３１１      健康関連テクノロジのためのテクノロジ用ツール
３１３      ニュースおよび更新用ツール
３１５      クイックレファランスツール
３１７      電子支援用ツール
３３５      ヘルスケアリソースの種別の索引および／または要旨
３３７      ヘルスケアリソースの種別の索引および／または要旨
３２３      ヘルスケアリソース（医学関係誌）
３２５      ヘルスケアリソース（医学部）
３３３      インターネット
３２７      ヘルスケアリソース（利用制限が設けられたアクセス）
３２９      ヘルスケアリソース（患者向け）
３１９      ヘルスケアリソース
３２１      医療ニュースニューズワイヤ
３３１      ユーザ登録
４０１      疾患研究補助部
４０３      疾患診断補助部
４０５      治療ガイドライン＆最善の治療
４０７      医学参考文献
４０９      疾患用モジュール
４１１      疾患診断リソース（利用制限が設けられた）
４１３      疾患研究リソース
４１５      医学参考文献（利用制限が設けられた）
４１７      医学参考文献
５０１      オンラインＣＭＥ
５０３      専門医学会レファレンス
５０５      医学部レファレンス
５０７      講義資料
５０９      医療用ボードレビュー情報
５１１      医学関係の会合カレンダおよびレポ−タ
５１３      ＣＭＥプロバイダ
５１５      医学部サイト
５１７      専門医学会
５１９      医療用ボードサイト
５２１      講義資料
５２３      医療用ボード情報
５２５      会合用カレンダ
６０１      患者向けメディアレファレンス
６０３      患者向け配布印刷物
６０５      患者支援グループレファレンス
６０７      臨床試験レファレンス
６０９      健康ガイド
６１１      患者向け配布印刷物
６１３      患者向けメディアレファレンスの索引と要旨
６１５      患者支援グループの索引と要旨
６１７      臨床試験の索引と要旨
６１９      一般向けメディアニュース記事
６２１      患者支援グループサイト
６２３      臨床試験サイト
７０１      製品レビューレファレンス
７０３      ヘルスケア関連テクノロジ特集記事
７０５      技術用語の用語辞典
７０７      技術用語に関する問合せ可能な情報
７０９      ヘルスケアテクノロジ記事
７１１      製品レビューの索引と要旨
７１３      製品レビュー
７１５      ヘルスケアテクノロジ記事
８０１      選択された最近の医学文献
８０３      最新の医学研究成果
８０５      最新の医療ニュース
８０７      医学専門ニュース
８０９      カスタマイズされた医療ニュース
８１１      選択された医学文献の索引と要旨
８１３      最新の医学研究成果の索引と要旨
８１５      最新の医療ニュースの索引
８１７      カスタマイズされた医療ニュースに対するユーザの優先順位
８１９      医学関係誌
８２１      医療ニュース
８２３      医療ニュースのニューズワイヤ
９０１      臨床用計算機レファレンス
９０３      選択されたニュースと医学論文文献への参照
９０５      選択された患者リソースレファレンス
９０７      臨床エビデンスリソースレファレンス
９０９      研修医勤務と経歴リソースレファレンス
９１１      ユーザ（ＰＤＡ）
９１３      ユーザ（コンピュータ）
９１５      選択された論文へのリンク
９１７      選択された患者リソースへのリンク
９１９      計算機と決定支援へのリンク
９２１      臨床エビデンスリソースへのリンク
９２３      医学上の経歴リソースへのリンク
９２５      患者向け配布印刷物
９２７      ユーザ（遠隔地の装置）
９２９      医療用計算機
９３１      医療用ガイドライン
９３３      患者向け記事
９３５      研修医勤務ゲートウェイ
９３７      医学上の経歴取得機会
１００１    臨床用ツールレファレンス
１００３    探索用レファレンス
１００５    一般的医療リソース
１００７    サイト検索エンジン
１００９    登録ユーザ用フォルダ
１０１１    臨床用計算機の索引
１０１３    医学教科書索引
１０１５    選択された記事と医学論文の索引
１０１７    ＣＭＥプロバイダの索引
１０１９    医学辞書
１０２１    臨床用計算機
１０２３    医学教科書
１０２５    医学関係誌
１０２７    医薬品レファレンステキスト
１０２９    医学論文
１０３１    ＣＭＥプロバイダ
【図１】
2005521150.tif 000003
【図２】
2005521150.tif 000004
【図３】
2005521150.tif 000005
【図４】
2005521150.tif 000006
【図５】
2005521150.tif 000007
【図６】
2005521150.tif 000008
【図７】
2005521150.tif 000009
【図８】
2005521150.tif 000010
【図９】
2005521150.tif 000011
【図１０】
2005521150.tif 000012
【図１１】
2005521150.tif 000013
【図１２】
2005521150.tif 000014
【図１３】
2005521150.tif 000015
【図１４】
2005521150.tif 000016
【図１５】
2005521150.tif 000017
【図１６】
2005521150.tif 000018
【図１７】
2005521150.tif 000019
【図１８】
2005521150.tif 000020
【図１９】
2005521150.tif 000021
【図２０】
2005521150.tif 000022
【図２１】
2005521150.tif 000023
【図２２】
2005521150.tif 000024
【図２３】
2005521150.tif 000025
【図２４】
2005521150.tif 000026
【図２５】
2005521150.tif 000027
【図２６】
2005521150.tif 000028
【図２７】
2005521150.tif 000029
【図２８】
2005521150.tif 000030
【図２９】
2005521150.tif 000031
【図３０】
2005521150.tif 000032
【図３１】
2005521150.tif 000033
【図３２】
2005521150.tif 000034
【図３３】
2005521150.tif 000035
【図３４】
2005521150.tif 000036
【図３５】
2005521150.tif 000037
【図３６】
2005521150.tif 000038
【図３７】
2005521150.tif 000039
【図３８】
2005521150.tif 000040
【図３９】
2005521150.tif 000041
【図４０】
2005521150.tif 000042
【図４１】
2005521150.tif 000043
【図４２】
2005521150.tif 000044
【図４３】
2005521150.tif 000045
【図４４】
2005521150.tif 000046
【図４５】
2005521150.tif 000047
【図４６】
2005521150.tif 000048
【図４７】
2005521150.tif 000049
【図４８】
2005521150.tif 000050
【図４９】
2005521150.tif 000051
【図５０】
2005521150.tif 000052
【図５１】
2005521150.tif 000053
【図５２】
2005521150.tif 000054
【図５３】
2005521150.tif 000055
【図５４】
2005521150.tif 000056
【図５５】
2005521150.tif 000057
【図５６】
2005521150.tif 000058
【図５７】
2005521150.tif 000059
【図５８】
2005521150.tif 000060
【図５９】
2005521150.tif 000061
【図６０】
2005521150.tif 000062
【図６１】
2005521150.tif 000063
【図６２】
2005521150.tif 000064
【図６３】
2005521150.tif 000065
【図６４】
2005521150.tif 000066
【図６５】
2005521150.tif 000067
【図６６】
2005521150.tif 000068
【図６７】
2005521150.tif 000069
【国際調査報告】
2005521150.tif 000070
2005521150.tif 000071